(57)【要約】  本発明の実施形態は、無線通信方法および装置を提供する。無線通信方法は、基地局により、現在のスケジューリング期間において端末にデータを送信するために使用される送信モードを決定するステップであって、送信モードが、ペア送信モードまたは非ペア送信モードのうちの1つである、ステップと、基地局により、送信モードに対応する端末タイプを示す情報を端末に送信するステップと、を含む。本方法および装置によれば、端末は、送信モードに従って対応する処理を実行することができ、それによって処理効率を向上させることができる。例えば、端末は、復調効率および精度を改善するために、信号を復調するための適応受信アルゴリズムを選択することができる。
2019502319.tif 000002
【特許請求の範囲】
【請求項１】
マルチユーザ重畳送信MUSTシステムに適用される無線通信方法であって、
基地局により、現在のスケジューリング期間において端末にデータを送信するために使用される送信モードを決定するステップであって、前記送信モードが、ペア送信モードまたは非ペア送信モードのうちの1つである、ステップと、
前記基地局により、前記送信モードに対応する端末タイプを示す情報を前記端末に送信するステップと、
を含む方法。
【請求項２】
前記送信モードに対応する前記端末タイプを示す前記情報が1ビットの情報または2ビット以上の情報であり、
前記送信モードに対応する前記端末タイプを示す前記情報が1ビットの情報である場合、前記送信モードに対応する前記端末タイプは、前記送信モードに対応する前記端末タイプが、前記ペア送信モードにある近端端末もしくは非近端端末のうちの1つであることを含み、前記非近端端末が、前記非ペア送信モードにある端末と、前記ペア送信モードにある遠端端末と、を含み、または
前記送信モードに対応する前記端末タイプを示す前記情報が2ビット以上の情報である場合、前記送信モードに対応する前記端末タイプは、前記非ペア送信モードにある端末、前記ペア送信モードにある近端端末、もしくは前記ペア送信モードにある遠端端末のうちの少なくとも1つを含む、請求項1に記載の方法。
【請求項３】
前記送信モードに対応する前記端末タイプを示す前記情報は、ダウンリンク制御情報を使用して前記端末に送信される、請求項1または2に記載の方法。
【請求項４】
前記基地局により、ダウンリンクデータ送信電力を決定するために使用される電力パラメータを前記端末に通知するステップであって、前記電力パラメータがPAMUSTを含み、PAMUSTが前記MUSTシステムの電力パラメータであり、PAと同じであるかまたはPAとは異なる、ステップ
をさらに含む、請求項1から3のいずれか一項に記載の方法。
【請求項５】
前記電力パラメータは、上位層シグナリングを使用して前記端末に送信される、請求項4に記載の方法。
【請求項６】
前記基地局により、ダウンリンクデータ送信電力比／係数情報またはダウンリンクデータ送信電力比／係数情報の指示情報を前記端末に送信するステップであって、前記ダウンリンクデータ送信電力比／係数情報は、前記ペア送信モードにある前記端末のダウンリンクデータ送信電力比／係数または前記ペア送信モードにある前記端末のダウンリンクデータ送信電力比／係数集合である、ステップ
をさらに含む、請求項1から5のいずれか一項に記載の方法。
【請求項７】
前記基地局は、前記端末に第2のフィールドを送信し、前記第2のフィールドは、前記ダウンリンクデータ送信電力比／係数情報および前記送信モードに対応する前記端末タイプを示し、
前記送信モードに対応する前記端末タイプは、各空間レイヤにおける前記端末に対応する送信モードを含み、前記ダウンリンクデータ送信電力比／係数情報は、各空間レイヤにおける前記端末のダウンリンクデータ送信電力比／係数の値または各空間レイヤにおける前記端末のダウンリンクデータ送信電力比／係数のインデックスを含む、請求項6に記載の方法。
【請求項８】
前記第2のフィールドは、プリコーディング情報をさらに示すことができ、
前記第2のフィールドは、前記送信モードに対応する前記端末タイプに関する情報、前記ダウンリンクデータ送信電力比／係数情報、および前記プリコーディング情報をジョイント符号化方式で示す、請求項7に記載の方法。
【請求項９】
前記基地局が前記ペア送信モードにある前記端末の前記ダウンリンクデータ送信電力比／係数を前記端末に送信する場合、
前記ペア送信モードにある前記端末の前記ダウンリンクデータ送信電力比／係数が固定値である、または、前記ペア送信モードにある前記端末の前記ダウンリンクデータ送信電力比／係数が、前記ダウンリンクデータ送信電力比／係数集合から前記基地局によって決定される、請求項6に記載の方法。
【請求項１０】
前記基地局により、前記端末の信号対干渉および雑音比、および／または前記基地局によって前記端末に送信された信号の変調方式に従って、前記ダウンリンクデータ送信電力比／係数情報を決定するステップ
をさらに含む、請求項6または9に記載の方法。
【請求項１１】
前記ダウンリンクデータ送信電力比／係数情報または前記ダウンリンクデータ送信電力比／係数情報の前記指示情報は、上位層シグナリングまたはダウンリンク制御情報を用いて前記端末に送信される、請求項6から10のいずれか1項に記載の方法。
【請求項１２】
前記ダウンリンクデータ送信電力比／係数集合は、特別な値を含み、前記特別な値は、前記端末タイプが前記非ペア送信モードにある端末であることを示す、請求項6から11のいずれか一項に記載の方法。
【請求項１３】
前記基地局により、前記端末によって送信されたフィードバック情報を受信するステップであって、前記フィードバック情報は、前記送信モードに対応する前記端末タイプを示す前記情報、前記ダウンリンクデータ送信電力を決定するために使用される前記電力パラメータ、およびセル固有参照信号のリソース要素当たりのエネルギーに従って、前記端末が復調を行った後に、前記端末によってフィードバックされた、復調が成功したか否かを示す情報である、ステップ
をさらに含む、請求項4から12のいずれか一項に記載の方法。
【請求項１４】
前記基地局により、第1のフィールドを用いて、前記端末のペア端末の復調参照信号DMRSポートの指示情報または前記端末のペア端末の変調方式の指示情報のうちの少なくとも1つを前記端末に送信するステップ
をさらに含む、請求項1に記載の方法。
【請求項１５】
前記基地局は、前記第1のフィールドを用いて、前記端末のタイプ、ならびに前記端末の前記ペア端末の前記復調パイロットDMRSポートおよび前記変調方式をジョイント符号化方式で示す、請求項14に記載の方法。
【請求項１６】
マルチユーザ重畳送信MUSTシステムに適用される無線通信方法であって、
端末により、送信モードに対応する端末タイプを示す情報を基地局から受信するステップであって、前記送信モードが、前記基地局によって決定され、かつ現在のスケジューリング期間において前記端末にデータを送信するために使用される送信モードであり、ペア送信モードまたは非ペア送信モードのうちの1つである、ステップと、
前記端末により、前記情報に従って、前記端末が使用する送信モードを決定するステップと、
を含む方法。
【請求項１７】
前記送信モードに対応する前記端末タイプを示す前記情報が1ビットの情報または2ビット以上の情報であり、
前記送信モードに対応する前記端末タイプを示す前記情報が1ビットの情報である場合、前記送信モードに対応する前記端末タイプは、前記送信モードに対応する前記端末タイプが、前記ペア送信モードにある近端端末もしくは非近端端末のうちの1つであることを含み、前記非近端端末が、前記非ペア送信モードにある端末と、前記ペア送信モードにある遠端端末と、を含み、または
前記送信モードに対応する前記端末タイプを示す前記情報が2ビット以上の情報である場合、前記送信モードに対応する前記端末タイプは、前記非ペア送信モードにある端末、前記ペア送信モードにある近端端末、もしくは前記ペア送信モードにある遠端端末のうちの少なくとも1つを含む、請求項16に記載の方法。
【請求項１８】
前記端末により、前記基地局によって通知される、ダウンリンクデータ送信電力を決定するために使用される電力パラメータを受信するステップであって、前記電力パラメータがPAMUSTを含み、PAMUSTが前記MUSTシステムの電力パラメータであり、PAと同じであるかまたはPAとは異なる、ステップ
をさらに含む、請求項16または17に記載の方法。
【請求項１９】
前記端末は、セル固有参照信号のリソース要素当たりのエネルギー、前記ダウンリンクデータ送信電力を決定するために使用される前記電力パラメータ、および前記現在のスケジューリング期間において前記端末にデータを送信するために前記基地局によって使用される前記送信モードを示す前記情報に従って、前記端末にデータを送信するために前記基地局によって使用されるダウンリンクデータ送信電力を決定する、請求項18に記載の方法。
【請求項２０】
前記端末により、ダウンリンクデータ送信電力比／係数情報を取得するステップであって、前記ダウンリンクデータ送信電力比／係数情報は、前記ペア送信モードにある前記端末のダウンリンクデータ送信電力比／係数または前記ペア送信モードにある前記端末のダウンリンクデータ送信電力比／係数集合である、ステップ
をさらに含む、請求項16から19のいずれか一項に記載の方法。
【請求項２１】
前記端末により、ダウンリンクデータ送信電力比／係数情報を取得する前記ステップは、
前記端末により、前記基地局によって送信された前記ダウンリンクデータ送信電力比／係数情報、または前記基地局によって送信された、前記ダウンリンクデータ送信電力比／係数情報の指示情報を受信するステップと、
前記端末により、受信した前記ダウンリンクデータ送信電力比／係数情報または前記ダウンリンクデータ送信電力比／係数情報の受信した前記指示情報に従って、前記ダウンリンクデータ送信電力比／係数情報を取得するステップと、
を含む、請求項20に記載の方法。
【請求項２２】
前記端末が前記ペア送信モードを使用する場合、前記端末が、セル固有参照信号のリソース要素当たりのエネルギー、前記ダウンリンクデータ送信電力を決定するために使用される前記電力パラメータ、および前記現在のスケジューリング期間において前記端末にデータを送信するために前記基地局によって使用される前記送信モードを示す前記情報に従って、前記端末にデータを送信するために前記基地局によって使用されるダウンリンクデータ送信電力を決定することは、
前記端末により、前記ダウンリンクデータ送信電力比／係数情報に従って、前記ペア送信モードにある一対の端末のダウンリンクデータ送信電力において、前記端末によって占有されるダウンリンクデータ送信電力シェアを決定するステップと、
前記端末により、前記ダウンリンクデータ送信電力シェア、前記セル固有参照信号のリソース要素当たりの前記エネルギー、前記ダウンリンクデータ送信電力を決定するために使用される前記電力パラメータ、および前記現在のスケジューリング期間において前記端末にデータを送信するために前記基地局によって使用される前記送信モードを示す前記情報に従って、前記ダウンリンクデータ送信電力を決定するステップと、
を含む、請求項20または21に記載の方法。
【請求項２３】
前記端末により、決定された前記ダウンリンクデータ送信電力に従って、受信されたダウンリンクデータを復調し、復調が成功したか否かを示す情報を前記基地局にフィードバックするステップ
をさらに含む、請求項20から22のいずれか一項に記載の方法。
【請求項２４】
前記端末は、第2のフィールドを用いて、前記ダウンリンクデータ送信電力比／係数情報または前記ダウンリンクデータ送信電力比／係数情報の前記指示情報を受信し、前記第2のフィールドは、前記ダウンリンクデータ送信電力比／係数情報および前記送信モードに対応する前記端末タイプを示し、前記送信モードに対応する前記端末タイプは、各空間レイヤにおける前記端末に対応する送信モードを含み、前記ダウンリンクデータ送信電力比／係数情報は、各空間レイヤにおける前記端末のダウンリンクデータ送信電力比／係数の値または各空間レイヤにおける前記端末のダウンリンクデータ送信電力比／係数のインデックスを含む、請求項21に記載の方法。
【請求項２５】
前記第2のフィールドは、プリコーディング情報をさらに示すことができる、請求項24に記載の方法。
【請求項２６】
前記端末により、第1のフィールドを受信するステップであって、前記第1のフィールドが、前記端末のペア端末の復調参照信号DMRSポートの指示情報または前記端末のペア端末の変調方式の指示情報のうちの少なくとも1つを含む、ステップ
をさらに含む、請求項16に記載の方法。
【請求項２７】
前記第1のフィールドは、前記端末のタイプ、ならびに前記端末の前記ペア端末の前記復調パイロットDMRSポートおよび前記変調方式をジョイント符号化方式で示す、請求項26に記載の方法。
【請求項２８】
基地局であって、前記基地局は、マルチユーザ重畳送信MUSTシステムをサポートし、
現在のスケジューリング期間において端末にデータを送信するために使用される送信モードを決定するように構成された第1の決定モジュールであって、前記送信モードが、ペア送信モードまたは非ペア送信モードのうちの1つである、第1の決定モジュールと、
前記送信モードに対応する端末タイプを示す情報を前記端末に送信するように構成された送信モジュールと、
を備える基地局。
【請求項２９】
請求項2から15のいずれか一項に記載の方法を実行するように構成される、請求項28に記載の基地局。
【請求項３０】
端末であって、前記端末は、マルチユーザ重畳送信MUSTシステムをサポートし、
基地局によって送信された、送信モードに対応する端末タイプを示す情報を受信するように構成された受信モジュールであって、前記送信モードが、前記基地局によって決定され、かつ現在のスケジューリング期間において前記端末にデータを送信するために使用される送信モードであり、ペア送信モードまたは非ペア送信モードのうちの1つである、受信モジュールと、
前記受信モジュールによって受信された前記情報に従って、前記端末によって使用される送信モードを決定するように構成される第1の決定モジュールと、
を備える端末。
【請求項３１】
請求項17から27のいずれか一項に記載の方法を実行するように構成される、請求項30に記載の端末。
【発明の詳細な説明】
【技術分野】
【０００１】
本発明は、無線通信技術の分野に関し、特に、無線通信方法および装置に関する。
【背景技術】
【０００２】
ロングタームエボリューション（Long Term Evolution、LTE）／ロングタームエボリューションアドバンスト（Long Term Evolution Advanced、LTE-A）通信システムにおいて、ダウンリンク多元接続方式は、直交周波数分割多元接続（Orthogonal Frequency Division Multiplexing Access、OFDMA）方式を通常使用する。直交周波数分割多元接続方式は、異なるユーザの受信信号が互いに干渉しないことを保証するために、異なるユーザが異なる時間−周波数リソースを使用し、それによってユーザ側で簡単な受信を実現することを主な特徴とする。しかし、直交周波数分割多元接続方式で通信を行う場合、時間−周波数リソースは、利用率が比較的低く、その結果、通信システム全体の送信速度が制限される。
【０００３】
現在、LTE／LTE-Aシステムでは、OFDMAとは異なるいくつかの潜在的な候補技術、例えば、非直交多元接続（Non-orthogonal Multiplexing Access、NOMA）および準直交多元接続（Semi-orthogonal Multiplexing Access、SOMA）もある。NOMAおよびSOMAでは、ユーザに異なる電力が割り当てられ、その結果、少なくとも2つの端末が同じ時間−周波数リソースを使用できる。NOMAでは、複数のユーザに関する情報を単一のリソース要素（Resource Element、RE）上で送信することができる。OFDMAと比較して、NOMAでは、システム全体の送信速度が向上する。さらに、SOMA送信方式では、既存の変調（または信号空間ダイヤグラム）方式のグレイコード機能が使用され、その結果、ユーザ受信機が単純な受信アルゴリズムを使用することができ、それにより、システム性能をさらに向上させることができる。図1は、OFDMA、SOMA、およびNOMAの間の比較の概略図である。
【０００４】
しかし、現在、NOMAおよびSOMAは十分に研究されておらず、同様のシステムにおける端末処理の効率および精度は比較的低い。
【発明の概要】
【課題を解決するための手段】
【０００５】
本発明の実施形態は、端末処理の効率および精度を改善するために、無線通信方法および装置を提供する。
【０００６】
第1の実施態様によれば、本発明の一実施形態は、無線通信方法を提供し、方法は、基地局により、現在のスケジューリング期間において端末にデータを送信するために使用される送信モードを決定するステップであって、送信モードが、ペア（paired）送信モードまたは非ペア（non-paired）送信モードのうちの1つである、ステップと、基地局により、送信モードに対応する端末タイプを示す情報を端末に送信するステップと、を含む。
【０００７】
本通信方法によれば、送信モードに対応する端末タイプを示す情報が転送され、その結果、端末は送信モード情報を知ることができ、端末は送信モードに従って対応する処理を行うことができ、それにより、処理効率が向上する。例えば、端末は、復調効率および精度を改善するために、信号を復調するための適応受信アルゴリズムを選択することができる。
【０００８】
場合により、送信モードに対応する端末タイプを示す情報は、ダウンリンク制御情報を使用して端末に動的に送信されてもよい。例えば、ダウンリンク制御情報は、物理ダウンリンク制御チャネル（Physical Downlink Control Channel、PDCCH）を用いて端末に送信されてもよい。
【０００９】
例えば、指示情報は、少なくとも1ビットのフィールドであってもよい。送信モードに対応する端末タイプを示す情報が1ビットの情報である場合、送信モードに対応する端末タイプは、送信モードに対応する端末タイプが、ペア送信モードにある近端端末または非近端端末のうちの1つであり、非近端端末が、非ペア送信モードにある端末と、ペア送信モードにある遠端端末と、を含む、ことを含む。送信モードに対応する端末タイプを示す情報が2ビット以上の情報である場合、送信モードに対応する端末タイプは、非ペア送信モードにある端末、ペア送信モードにある近端端末、またはペア送信モードにある遠端端末のうちの少なくとも1つを含む。このようにすることにより、端末は、送信モード情報を適時に知ることができ、1ビットが、送信モードに対応する端末タイプを示す情報を運ぶために使われ、その結果、より多くのシグナリングオーバーヘッドを低減することができる。
【００１０】
基地局は、ダウンリンクデータ送信電力を決定するために使用される電力パラメータを端末にさらに通知することができ、電力パラメータがPAMUSTを含み、PAMUSTがMUSTシステムの電力パラメータであり、PAと同じであるかまたはPAとは異なる。
【００１１】
さらに、場合により、PAMUSTは、複雑度を低減するために、セルレベルのパラメータであってもよい。さらに、PAMUSTは、上位層シグナリングを使用して端末に配信されてもよく、例えば、無線リソース制御RRCシグナリングを使用して配信され得る。
【００１２】
さらに、基地局は、端末がダウンリンクデータ送信電力を決定できるようにするために、ダウンリンクデータ送信電力比／係数情報またはダウンリンクデータ送信電力比／係数情報の指示情報を端末に送信し、ダウンリンクデータ送信電力比／係数情報は、ペア送信モードにある端末のダウンリンクデータ送信電力比／係数またはペア送信モードにある端末のダウンリンクデータ送信電力比／係数集合である。ダウンリンクデータ送信電力比／係数は、0.2：0.8、10：32、42：128、1：16、1：20などであってもよく、ダウンリンクデータ送信電力比／係数集合は、これらの要素のうちの少なくとも1つを含む集合であってもよいし、別の集合であってもよい。
【００１３】
例えば、ダウンリンクデータ送信電力比／係数情報は、公平性を確保するために、端末の信号対干渉および雑音比、および／または基地局によって端末に送信された信号の変調方式に従って決定することができる。
【００１４】
場合により、基地局は、柔軟な電力割り当てモードまたは固定電力割り当てモードで、ダウンリンクデータ送信電力比／係数情報を決定することができる。
【００１５】
場合により、ダウンリンクデータ送信電力比／係数情報またはダウンリンクデータ送信電力比／係数情報の指示情報は、上位層シグナリングまたはダウンリンク制御情報を用いて端末に送信される。加えて、ダウンリンクデータ送信電力比／係数集合は、特別な値を含むことができ、特別な値は、端末タイプが非ペア送信モードにある端末であることを示すことができる。
【００１６】
場合により、基地局は、再送信を実行するか否かを決定するために、端末によって送信された、復調が成功したか否かを示すフィードバック情報をさらに受信してもよく、それにより、送信の信頼性を向上させることができる。
【００１７】
第2の実施態様によれば、本発明の一実施形態は、マルチユーザ重畳送信MUSTシステムに適用される無線通信方法を提供し、方法は、端末により、基地局が送信した、送信モードに対応する端末タイプを示す情報を受信するステップであって、送信モードが、基地局によって決定され、かつ現在のスケジューリング期間において端末にデータを送信するために使用される送信モードであり、ペア送信モードまたは非ペア送信モードのうちの1つである、ステップと、端末により、情報に従って、端末が使用する送信モードを決定するステップと、を含む。
【００１８】
例えば、送信モードに対応する端末タイプを示す情報は、1ビットの情報または2ビット以上の情報である。送信モードに対応する端末タイプを示す情報が1ビットの情報である場合、送信モードに対応する端末タイプは、送信モードに対応する端末タイプが、ペア送信モードにある近端端末または非近端端末のうちの1つであり、非近端端末が、非ペア送信モードにある端末と、ペア送信モードにある遠端端末と、を含む、ことを含む。送信モードに対応する端末タイプを示す情報が2ビット以上の情報である場合、送信モードに対応する端末タイプは、非ペア送信モードにある端末、ペア送信モードにある近端端末、またはペア送信モードにある遠端端末のうちの少なくとも1つを含む。
【００１９】
場合により、端末は、基地局によって通知される、ダウンリンクデータ送信電力を決定するために使用される電力パラメータをさらに受信することができ、電力パラメータがPAMUSTを含み、PAMUSTがMUSTシステムの電力パラメータであり、PAと同じであるかまたはPAとは異なる。
【００２０】
場合により、PAMUSTは、複雑度を低減するために、セルレベルのパラメータであってもよい。さらに、PAMUSTは、上位層シグナリングを使用して端末に配信されてもよい。
【００２１】
場合により、端末は、セル固有参照信号のリソース要素当たりのエネルギー、ダウンリンクデータ送信電力を決定するために使用される電力パラメータ、および現在のスケジューリング期間において端末にデータを送信するために基地局によって使用される送信モードを示す情報に従って、端末にデータを送信するために基地局によって使用されるダウンリンクデータ送信電力を決定してもよい。場合により、端末は、決定されたダウンリンクデータ送信電力に従って、受信されたダウンリンクデータを復調し、復調が成功したか否かを示す情報を基地局にフィードバックしてもよい。
【００２２】
場合により、端末は、ダウンリンクデータ送信電力を決定する際に、ダウンリンクデータ送信電力比／係数情報を使用してもよい。ダウンリンクデータ送信電力比／係数情報は、基地局によって送信されてもよいし、端末に格納されてもよい。
【００２３】
場合により、端末がペア送信モードを使用する場合、端末は、ダウンリンクデータ送信電力比／係数情報に従って、ペア送信モードにある一対の端末のダウンリンクデータ送信電力において端末が占有するダウンリンクデータ送信電力シェアを決定する。端末は、ダウンリンクデータ送信電力シェア、セル固有参照信号のリソース要素当たりのエネルギー、ダウンリンクデータ送信電力を決定するために使用される電力パラメータ、および現在のスケジューリング期間において端末にデータを送信するために基地局によって使用される送信モードを示す情報に従って、ダウンリンクデータ送信電力を決定する。
【００２４】
本通信方法によれば、送信モードに対応する端末タイプを示す情報が転送され、その結果、端末は送信モード情報を知ることができ、端末は送信モードに従って対応する処理を行うことができ、それにより、処理効率が向上する。例えば、端末は、復調効率および精度を改善するために、信号を復調するための適応受信アルゴリズムを選択することができる。
【００２５】
第3の実施態様によれば、本発明の一実施形態は、マルチユーザ重畳送信MUSTシステムをサポートする基地局をさらに提供し、基地局は、前述の方法設計における基地局の動作を実装する機能を有する。この機能は、ハードウェアを用いて実装されてもよいし、対応するソフトウェアを実行するハードウェアによって実装されてもよい。ハードウェアまたはソフトウェアは、機能に対応する1つ以上のモジュールを含む。
【００２６】
可能な設計では、基地局の構造は、プロセッサと送信機とを備える。プロセッサは、前述の方法における対応する機能を実行する際に基地局をサポートするように構成される。送信機は、基地局と端末との間の通信をサポートし、前述の方法の情報または命令を端末に送信するように構成される。
【００２７】
可能な設計では、基地局の構造は、端末によって送信された、前述の方法における情報または命令を受信するように構成された受信機をさらに備えてもよい。
【００２８】
第4の実施態様によれば、本発明の一実施形態は、MUSTシステムをサポートする端末をさらに提供し、端末は、前述の方法設計における端末の動作を実装する機能を有する。この機能は、ハードウェアを用いて実装されてもよいし、対応するソフトウェアを実行するハードウェアによって実装されてもよい。ハードウェアまたはソフトウェアは、機能に対応する1つ以上のモジュールを含む。モジュールは、ソフトウェアおよび／またはハードウェアであってもよい。
【００２９】
可能な設計では、端末の構造は、受信機とプロセッサとを備える。プロセッサは、前述の方法における対応する機能を実行する際に端末をサポートするように構成される。受信機は、基地局と端末との間の通信をサポートし、基地局によって送信された、前述の方法における情報または命令を受信するように構成される。
【００３０】
可能な設計では、端末の構造は、前述の方法における情報または命令を基地局に送信するように構成された送信機をさらに備えてもよい。
【００３１】
本発明の一実施形態は、前述の基地局によって使用されるコンピュータソフトウェア命令を格納するように構成されたコンピュータ記憶媒体を提供し、コンピュータソフトウェア命令は、前述の実施態様を実行するように設計されたプログラムを含む。
【００３２】
別の実施態様によれば、本発明の一実施形態は、前述の端末によって使用されるコンピュータソフトウェア命令を格納するように構成されたコンピュータ記憶媒体を提供し、コンピュータソフトウェア命令は、前述の実施態様を実行するように設計されたプログラムを含む。
【００３３】
本発明の実施形態で提供される解決策によれば、端末処理の効率および精度が改善され得る。
【図面の簡単な説明】
【００３４】
【図１】OFDMA、SOMA、およびNOMAの間の比較の概略図である。
【図２】本発明の一実施形態による無線通信方法の流れ図である。
【図３】本発明の別の実施形態による無線通信方法の流れ図である。
【図４】本発明の一実施形態による基地局の概略的な構成図である。
【図５】本発明の別の実施形態による基地局の概略的な構成図である。
【図６】本発明の一実施形態による端末の概略的な構成図である。
【図７】本発明の別の実施形態による端末の概略的な構成図である。
【発明を実施するための形態】
【００３５】
以下、本発明の実施形態における添付の図面を参照しながら、本発明の実施形態における技術的な解決策を明確かつ完全に説明する。当然のことながら、説明される実施形態は、本発明の実施形態の一部であり、すべてではない。本発明の実施形態に基づいて、当業者によって創造的努力なしに得られるすべての他の実施形態は、本発明の保護範囲内に含まれるものとする。
【００３６】
本発明の実施形態における技術的解決策は、複数の通信システム、例えば、ロングタームエボリューション（Long Term Evolution、LTE）システム、LTE周波数分割複信（Frequency Division Duplex、FDD）システム、およびLTE時分割複信（Time Division Duplex、TDD）に適用されてもよいことを理解されたい。
【００３７】
本発明の実施形態では、端末は、ユーザ機器（User Equipment、UE）、移動局（Mobile Station、MS）、移動端末（Mobile Terminal）などと呼ばれ得ることも理解されたい。端末は、通信を行うために、無線アクセスネットワーク（Radio Access Network、RAN）にアクセスできる。具体的には、端末は、携帯電話（「セルラー」電話とも呼ぶ）およびモバイル端末を内蔵したコンピュータなどであってよく、例えば、無線アクセスネットワークで音声および／またはデータを交換する、ポータブル、ポケット型、携帯用、コンピュータ内蔵、もしくは車両搭載モバイル機器であってよい。説明を容易にするために、本明細書では、すべての装置を総称して端末と呼ぶ。
【００３８】
本発明の実施形態では、基地局は、LTEにおける発展型NodeB（Evolutional Node B、ENBまたはe-NodeB）であってもよいし、別の発展型ネットワークにおける基地局であってもよく、このことは、本発明の実施形態では限定されない。しかし、説明を容易にするために、すべての装置を総称して基地局と呼ぶ。
【００３９】
説明を容易にするために、以下の本発明の実施形態では、NOMAおよびSOMAと同様の送信モードを、マルチユーザ重畳送信（multi-user superposition transmission、MUST）モードと総称する場合があり、MUSTモードを含むシステムは、MUSTシステムと呼ぶことに留意されたい。MUSTシステムでは、端末は、ペア送信モードおよび非ペア送信モードで動作することができる。
【００４０】
図2を参照すると、本発明の一実施形態で提供される無線通信方法は、MUSTシステムに適用されてもよい。本方法は、基地局を使用して実装でき、以下のステップを含み得る。
【００４１】
S201．基地局は、現在のスケジューリング期間において端末にデータを送信するために使用される送信モードを決定し、送信モードが、ペア送信モードまたは非ペア送信モードのうちの1つである。
【００４２】
S202．基地局は、送信モードに対応する端末タイプを示す情報を端末に送信する。
【００４３】
スケジューリング期間は、無線リソース管理によって制御される時間の基本単位として理解されてもよく、例えば、送信時間間隔（Transmission Time Interval、TTI）であってもよい。基地局は、実際のケースに従って、異なる送信モードで、例えば非ペア送信モードまたはペア送信モードで、端末にデータを送信することができる。ペア送信モードは、2つの端末が同じ時間−周波数リソースを使用して送信を行うことを意味する。非ペア送信モードは、既存の従来の送信モードであり、すべての端末に異なる時間−周波数リソースを割り当てて送信を行うことを意味する。具体的には、各スケジューリング期間において、基地局は、少なくとも1つの端末をスケジューリングし、各スケジューリングされた端末について、スケジューリングされた端末にデータを送信するために使用される送信モードを決定することができる。便宜上、以下の明細書では、基地局が端末にデータを送信するために使用する送信モードを、端末の送信モードまたは端末が使用する送信モードと略称する。
【００４４】
さらに、基地局は、異なる要求または要因に従って、現在スケジュールされている各端末の送信モードを決定することができる。本発明の本実施形態では、各端末の送信モードを決定する具体的な方式は限定されない。例えば、基地局は、各スケジューリング期間において、端末の信号対干渉および雑音比ならびにスケジューリング優先度に従って、スケジュールされた端末の送信モードを決定することができる。具体的には、ペア送信モードは、スケジューリングの優先度が同じまたは近いが、2つの端末の信号対干渉および雑音比間の差の絶対値が予め設定された値以上である、2つの端末に対して使用され、非ペア送信モードは、スケジューリングの優先度が同じまたは近く、2つの端末の信号対干渉および雑音比間の差の絶対値が予め設定された値未満である、2つの端末に対して使用される。スケジューリングの優先度が近いことは、2つの端末のスケジューリングの優先度間の差が比較的小さいことを意味し得ることに留意されたい。例えば、スケジューリングの優先度指標間の差の絶対値は1である。このことは、本発明の本実施形態において限定されるものではない。基地局は、端末の信号対干渉および雑音比のみに従って、端末によって使用される具体的な送信モードを代替的に決定してもよいことが理解されよう。例えば、予め設定された高閾値よりも高い信号対干渉および雑音比を有する任意の端末は、予め設定された低閾値よりも低い信号対干渉および雑音比を有する任意の端末と対になる。このように、一対の端末は、ペア送信モードを使用することを決定する端末と呼ばれ、他の対ではない端末は、非ペア送信モードを使用する。加えて、基地局が端末のスケジューリングの優先度と信号対干渉および雑音比を決定する方式については、従来技術を参照されたく、このことは、本発明の本実施形態で限定されない。ペアモードを使用する一対の端末は、互いに対になった端末であることが理解されよう。
【００４５】
ペア送信モードを使用する一対の端末は、別々に、近端端末および遠端端末と呼ぶことができる。一対の端末は、特定の基準因子または基準に従って区別することができる。例えば、近端端末および遠端端末は、端末の信号対干渉および雑音比に従って区別することができる。例えば、ペア送信に関与する一対の端末において、より高い信号対干渉および雑音比を有する端末が、近端端末と呼ばれてもよく、より低い信号対干渉および雑音比を有する端末が、遠端端末と呼ばれてもよい。あるいは、端末の挙動に応じて、近端端末と遠端端末とを区別してもよい。例えば、ペア送信に関与する一対の端末において、先進の受信機を用いてデータを復調する端末が近端端末と呼ばれてもよく、従来の受信機を用いてデータを復調する端末が遠端端末と呼ばれてもよい。あるいは、端末の干渉状況に応じて、近端端末と遠端端末とを区別してもよい。例えば、近端端末は、端末が受信を行うときにペア端末から干渉を受けると想定される端末であり、遠端端末は、端末が受信を行うときにペア端末から干渉を受けないと想定される端末である。本発明の本実施形態では、近端端末と遠端端末とを区別する具体的な方式は限定されない。
【００４６】
上述したように、S201において、スケジューリングされた端末ごとに基地局によって決定される送信モードは、非ペア送信モードまたはペア送信モードのうちの1つであってもよい。しかし、ペア送信モードにある端末は、近端端末と遠端端末とに分類される。基地局によって決定された送信モードを端末が知るために、基地局は、基地局が端末の送信モードを決定した後、送信モードに対応する端末タイプを示す情報を各端末に送信する。指示情報は、端末がペア送信モードを使用しているか否かを示してもよく、端末がペア送信モードを使用している場合、端末がペア送信モードにおける近端端末であるか遠端端末であるかをさらに示してもよい。
【００４７】
具体的には、基地局は、送信モードに対応する端末タイプを示す情報を端末に送信する際に、送信モードに対応する端末タイプを示す情報を少なくとも1ビットのフィールドに付加してもよい。異なるビット値と、送信モードに対応する端末タイプに関する情報との間には、特定の対応関係がある。例えば、送信モードに対応する端末タイプを示す情報が1ビットの情報である場合には、指示され得る、送信モードに対応する端末タイプは、ペア送信モードにある近端端末または非近端端末のうちの1つを含み、非近端端末が、非ペア送信モードにある端末と、ペア送信モードにある遠端端末と、を含む。
【００４８】
あるいは、送信モードに対応する端末タイプを示す情報が2ビット以上の情報である場合には、指示され得る、送信モードに対応する端末タイプは、非ペア送信モードにある端末、ペア送信モードにある近端端末、またはペア送信モードにある遠端端末のうちの少なくとも1つを含む。
【００４９】
例えば、ビット値と送信モードに対応する端末タイプとの対応関係を表1に示すことができる。
【００５０】
【表１】
2019502319.tif 000003
【００５１】
表1において、端末が受信したビット値が0である場合、端末は、端末が、非ペア送信モードにある端末またはペア送信モードにある遠端端末のうちの1つであることしか知ることができない。
【００５２】
あるいは、ビット値と送信モードに対応する端末タイプとの対応関係を表2に示すことができる。
【００５３】
【表２】
2019502319.tif 000004
【００５４】
具体的には、表2において、端末の送信モード情報を示すために2ビットのフィールドが使用される。例えば、「00」は非ペア送信モードにある端末を表し、「01」はペア送信モードにある遠端端末を表し、「10」はペア送信モードにある近端端末を表す。
【００５５】
表1および表2は、ビット値と送信モードに対応する端末タイプとの対応関係を説明するための単なる例であり、このことは、異なるビット値が異なる端末タイプを表すものである限り、本発明の本実施形態では限定されないことに留意されたい。
【００５６】
さらに、送信モードに対応する端末タイプに関する情報を示すために使用されるフィールドは、既存のメッセージに付加して端末に送信してもよいし、専用のメッセージを用いて端末に送信してもよい。既存のメッセージは、ダウンリンク制御情報（Downlink Control Information、DCI）であってもよく、DCIは、物理ダウンリンク制御チャネル（Physical Downlink Control Channel、PDCCH）を使用して基地局から端末に送信されてもよい。
【００５７】
加えて、基地局は、端末のペア端末の復調参照信号（demodulation reference signal、DMRS）ポートの指示情報または端末のペア端末の変調方式の指示情報のうちの少なくとも1つを端末にさらに送信してもよい。
【００５８】
可能な実装では、送信モードに対応する端末タイプを示す情報、端末のペア端末のDMRSポートの指示情報、および端末のペア端末の変調方式の指示情報が、第1のフィールドに付加され、端末に送信される。具体的には、第1のフィールドは、ジョイント符号化方式で情報を示すことができる。
【００５９】
例えば、第1のフィールドのビット数は限定されず、例えば、第1のフィールドは、7ビット、6ビット、5ビット、4ビット、または3ビットを含むことができる。具体的には、第1のフィールドが7ビットである場合、128の状態を示すことができる。さらに、128の状態のうちの125の状態は、3つの情報を共同して示すために使用され、他の3つの状態は予約される。第1のフィールドに対応する状態の指示された意味が表X1に示されている。第1のフィールドに含まれるビットに対応する値と指示された意味との間の対応関係は、表X1に限定されないことが理解されよう。あるいは、3つの情報を共同して示す第1のフィールドの状態は、表X1の状態のサブ集合であってもよく、例えば、状態は表X1に示す125の状態のうちのいくつかであり、他の残りの状態は利用できないフィールドまたは予約されたフィールドである。
【００６０】
第1のフィールドが別のビット量を含む場合、第1のフィールドの指示された意味は表X1のものと同様である。例えば、第1のフィールドが6ビットである場合、第1のフィールドに対応する状態の指示された意味が表X2に示されている。第1のフィールドが5ビットである場合、64の状態を示すことができる。さらに、64の状態のうちの25の状態は、3つの情報を共同して示すために使用され、他の39の状態が予約され、第1のフィールドに対応する状態の指示された意味が表X3に示されている。第1のフィールドが4ビットである場合、第1のフィールドに対応する状態の指示された意味が表X4に示されている。第1のフィールドが3ビットである場合、8の状態を示すことができる。5つの状態は、端末タイプおよびペア端末の復調パイロットDMRSポートに対応する変調方式を示し、他の3つの状態は予約され、第1のフィールドに対応する状態の指示された意味が表X5に示されている。表X1から表X5において、指示された意味が、端末のペア端末のDMRSポートの指示情報および／または端末のペア端末の変調方式の指示情報を示す場合、指示された意味が、送信モードに対応する端末タイプに関する情報がペアモードにある端末であることを暗示的に示すことが理解されよう。
【００６１】
【表３Ａ】
2019502319.tif 000005
【表３Ｂ】
2019502319.tif 000006
【表３Ｃ】
2019502319.tif 000007
【表３Ｄ】
2019502319.tif 000008
【表３Ｅ】
2019502319.tif 000009
【表３Ｆ】
2019502319.tif 000010
【表３Ｇ】
2019502319.tif 000011
【表３Ｈ】
2019502319.tif 000012
【表３Ｉ】
2019502319.tif 000013
【００６２】
【表４Ａ】
2019502319.tif 000014
【表４Ｂ】
2019502319.tif 000015
【表４Ｃ】
2019502319.tif 000016
【表４Ｄ】
2019502319.tif 000017
【表４Ｅ】
2019502319.tif 000018
【００６３】
【表５Ａ】
2019502319.tif 000019
【表５Ｂ】
2019502319.tif 000020
【００６４】
【表６】
2019502319.tif 000021
【００６５】
【表７】
2019502319.tif 000022
【００６６】
上記の表における0番目／1番目／2番目のDMRSポートは、ペア端末のDMRSポートのインデックスを表し、ペア端末のDMRSポートのインデックスは、基地局によって端末に割り当てられた異なるDMRSポートに応じて、異なるDMRSポートに対応していてもよいことに留意されたい。
【００６７】
本方法によれば、送信モードに対応する端末タイプを示す情報が転送され、その結果、端末は送信モード情報を知ることができ、端末は送信モードに従って対応する処理を行うことができ、それにより、処理効率が向上する。例えば、端末は、復調効率および精度を改善するために、信号を復調するための適応受信アルゴリズムを選択することができる。
【００６８】
さらに、端末は、送信モード情報を把握した後に、対応する送信モードに従ってダウンリンクデータ送信電力をさらに決定してもよい。端末がダウンリンクデータ送信電力を得ることを可能にするために、本発明の本実施形態は、以下のステップをさらに含むことができる。
【００６９】
S203．基地局は、ダウンリンクデータ送信電力を決定するために使用される電力パラメータを端末に通知する。
【００７０】
ペア送信モードにある端末と非ペア送信モードにある端末との両方が、基地局によって送信され、ダウンリンクデータ送信電力を決定するために使用される電力パラメータを受信することができる。電力パラメータは、PAMUSTを含むことができる。
【００７１】
PAMUSTは、既存のプロトコルにおける既存のパラメータであってもよく、例えば、3GPP TS 36.213 V12.3.0（2014．09）のセクション5.2のPAであってもよい。あるいは、PAMUSTは、既存のプロトコルにおける既存のパラメータPAの新しい理解とみなすことができる、すなわち、PAMUSTはPAと同じ方式で端末に送信されるが、PAMUSTの値は既存のPAの値と異なってもよい。あるいは、PAMUSTは、新たに定義されたパラメータであってもよく、PAとは異なるものであってもよい。既存のプロトコルで既に定義されたPAを送信することに加えて、基地局はPAMUSTを送信する。この場合、基地局によって端末に通知され、ダウンリンクデータ送信電力を決定するために使用される電力パラメータは、PAMUSTおよびPAを含む。PAMUSTはセルレベルのパラメータであってもよい、つまり、セル内のすべての端末が同じ値のパラメータPAMUSTを受信する。あるいは、PAMUSTは、一対のペア送信端末のための別個のパラメータであってもよい、つまり、ペア送信端末の各対に別個のPAMUSTが通知される。
【００７２】
加えて、同じ電力パラメータPAMUSTがペア送信モードにある一対の端末に送信されてもよい。電力パラメータを通知する場合、基地局は、特定のパラメータに対応するインデックスを配信することができ、その結果、端末は、インデックスに従って特定のパラメータを知ることができる。あるいは、電力パラメータは別の方式で通知されてもよい。これは、基地局が、ダウンリンクデータ送信電力を決定するために使用される電力パラメータを端末に通知できる限りにおいて、本発明の本実施形態では限定されない。
【００７３】
加えて、基地局は、同じPAMUSTのセル内のペア送信モードにあるすべての端末対に通知してもよいし、別々のPAMUSTのペア送信端末の各対に通知してもよい。ペア送信モードにおける異なる対の端末のPAMUST値は、等しくても等しくなくてもよい。具体的には、基地局は、端末にPAMUSTを半静的に通知することができ、例えば、ブロードキャストシグナリングまたは無線リソース制御（Radio Resource Control、RRC）シグナリングを使用して端末にPAMUSTを送信することができる。
【００７４】
PAMUSTが半静的に端末に送信される場合、S203はS201の前に実行されてもよい。
【００７５】
上述の実施形態では、基地局は、PAMUSTを端末に通知し、その結果、端末が、ダウンリンクデータ送信電力を知ることができ、それにより、端末によって行われるデータ復調の信頼性が向上し、端末によって行われるデータ復調の複雑度が軽減される。
【００７６】
加えて、端末が、基地局によって送信された、送信モードに対応する端末タイプを示す情報を用いてデータを復調した後、基地局は、端末によってフィードバックされた、復調が成功したか否かを示す情報を受信してもよい。前述の実施形態に基づいて、本発明の本実施形態は、以下のステップをさらに含み得る。
【００７７】
S204．基地局は、端末によって送信されたフィードバック情報を受信し、フィードバック情報は、端末が復調を行った後に、送信モードに対応する端末タイプ、ダウンリンクデータ送信電力を決定するために使用される電力パラメータ、およびセル固有参照信号のリソース要素当たりのエネルギーに基づいて、端末によってフィードバックされた、復調が成功したか否かを示す情報である、またはフィードバック情報は、端末が復調を行った後に、送信モードに対応する端末タイプ、ダウンリンクデータ送信電力比／係数情報、ダウンリンクデータ送信電力を決定するために使用される電力パラメータ、およびセル固有参照信号のリソース要素当たりのエネルギーに基づいて、端末によってフィードバックされた、復調が成功したか否かを示す情報である。
【００７８】
説明を容易にするために、本明細書では、ペア送信モードにおける端末のダウンリンクデータ送信電力比／係数を、ダウンリンクデータ送信電力比／係数と略称する。
【００７９】
端末が復調を行った後に、端末によってフィードバックされた、復調が成功したか否かを示す情報の具体的な方式は、本発明の本実施形態において以下に詳述することに留意されたい。
【００８０】
さらに、基地局は、ペア送信モードにおける端末のダウンリンクデータ送信電力比／係数、もしくはペア送信モードにおける端末のダウンリンクデータ送信電力比／係数集合を端末に半静的または動的に送信してもよい、またはペア送信モードにおける端末のダウンリンクデータ送信電力比／係数、もしくはペア送信モードにおける端末のダウンリンクデータ送信電力比／係数集合を端末に予め設定および格納してもよい。このことは、本発明の本実施形態において限定されるものではない。
【００８１】
説明を容易にするために、ペア送信モードにおける端末のダウンリンクデータ送信電力比／係数を、ダウンリンクデータ送信電力比／係数と以下略称する。
【００８２】
具体的には、ダウンリンクデータ送信電力比は、正規化された形式であってもよい。例えば、遠端端末のダウンリンクデータ送信電力に対する近端端末のダウンリンクデータ送信電力の比＝X：Yであり、または、近端端末のダウンリンクデータ送信電力に対する遠端端末のダウンリンクデータ送信電力の比＝Y：Xである。XおよびYは、0より大きく1より小さい少数であり、X＋Y＝1、かつX＜Yである。あるいは、ダウンリンクデータ送信電力比は、正規化されていない形式であってもよい。例えば、遠端端末のダウンリンクデータ送信電力に対する近端端末のダウンリンクデータ送信電力の比＝A：Bであり、または、近端端末のダウンリンクデータ送信電力に対する遠端端末のダウンリンクデータ送信電力の比＝B：Aである。AおよびBは整数または小数であり、A＜Bであってもよい。ダウンリンクデータ送信電力比の異なる形態では、端末がダウンリンクデータ送信電力を決定する計算方式はわずかに異なる。詳細については後述する。あるいは、ダウンリンクデータ送信電力比は、別の形式であってもよいことが理解されよう。このことは、本発明の本実施形態において限定されるものではない。近端端末のダウンリンクデータ送信電力は、通常、公平性をより確実にするために、遠端端末のダウンリンクデータ送信電力よりも総ダウンリンクデータ送信電力の割合が低い。
【００８３】
ダウンリンクデータ送信電力係数の形態では、近端端末が係数β1を有し、遠端端末が係数β2を有し、β1およびβ2は、0より大きく1より小さい少数であり、β1＋β2＝1、かつβ1＜β2である。加えて、非ペア送信モードにある端末では、係数が1であることが理解されよう。
【００８４】
説明を容易にするために、以下の説明では、近端端末をUE1と記載し、遠端端末をUE2と記載し、UE2に対するUE1のダウンリンクデータ送信電力比をβと表記する。
【００８５】
加えて、UE1およびUE2がマルチアンテナ送信モードを使用し、等しい数の送信空間レイヤを有する場合、β＝P1：P2である。P1は、不完全直交多元接続システムにおけるUE1のダウンリンクデータ送信電力であり、P2は、不完全直交多元接続システムにおけるUE2のダウンリンクデータ送信電力である。あるいは、UE1およびUE2がマルチアンテナ送信モードを使用し、等しくない数の送信空間レイヤを有する場合、マルチアンテナ送信のために、データは複数のレイヤを有することができる。この場合、ダウンリンクデータ送信電力比は、レイヤに応じて考慮され、任意のレイヤにおけるUE1のデータのダウンリンクデータ送信電力と、任意のレイヤにおけるUE2のペアデータのダウンリンクデータ送信電力との比は、βを示すために使用されてもよい。例えば、UE1がマルチアンテナ送信モードを使用し、2つの送信空間レイヤを有し、UE2によって使用される送信モードが1つの送信空間レイヤを有する場合、UE2は、UEの第1レイヤデータ1と対になってもよいし、UE1の第2レイヤのデータと対になっていてもよい。この場合、β＝P1，1：P2またはβ＝P1，2：P2となる。P1，1はUE1の第1レイヤデータのダウンリンクデータ送信電力であり、P1，2はUE1の第2レイヤデータのダウンリンクデータ送信電力である。
【００８６】
具体的には、βは、異なる要求に応じて異なる値を有してもよい。例えば、βは、集合｛0.1：0.9，0.15：0.85，0.2：0.8，0.25：0.75，0.3：0.7，0.35：0.65，0.4：0.6｝の値であってもよいし、βは、集合｛0.2：0.8，0.25：0.75，0.3：0.7，0.35：0.65，0.4：0.6｝の値であってもよいし、βは、集合｛0.9：0.1，0.85：0.15，0.8：0.2｝の値、例えば、0.2：0.8、10：32、42：128、1：16または1：20であってもよい。
【００８７】
同様に、β1は、集合｛0.2，0.2381，0.2471｝の値、集合｛0.1，0.15，0.2，0.25，0.3，0.35，0.4｝の値、または集合｛0.2，0.25，0.30，0.35，0.4｝の値、もしくは集合｛0.1，0.15，0.2｝の値であってもよく、または0.2、0.238、0.247、0.059、または0.048であってもよい。β2は、集合｛0.8，0.7619，0.7529｝の値、集合｛0.9，0.85，0.8，0.75，0.7，0.65，0.6｝の値、集合｛0.8，0.75，0.7，0.65，0.6｝の値、もしくは集合｛0.9，0.85，0.8｝の値であってもよく、または0.8、0.762、0.753、0.941、もしくは0.952であってもよい。
【００８８】
以上はβ、β1、およびβ2のいくつかの可能な集合または具体的な値を説明するための例であり、本発明の本実施形態はこれに限定されない。異なるシナリオによれば、β、β1、およびβ2は、異なる集合から選択されてもよいし、他の値を有してもよい。前述の単一の特定の値はまた、集合として理解され得ることが理解されよう。さらに、上述のβ、β1、およびβ2の集合に値を加えてもよく、その値は例えば1などの特殊な値である。値が1である場合、それは端末が非ペア送信モードにあることを示す。
【００８９】
具体的には、2つの端末のダウンリンクデータ送信電力比／係数集合からダウンリンクデータ送信電力比／係数を決定する形態は、柔軟な電力割り当てモードとして理解することができ、固定されたダウンリンクデータ送信電力比／係数を使用する形態は、固定電力割り当てモードとして理解することができる。
【００９０】
どのようにβを選択するかを、以下の説明のための例として用いる。β1とβ2とのケースはそれぞれこれに似ている。
【００９１】
例えば、柔軟な電力割り当てモードが使用される場合、βは｛0.1：0.9，0.15：0.85，0.2：0.8，0.25：0.75，0.3：0.7，0.35：0.65，0.4：0.6｝または｛0.2：0.8，0.25：0.75，0.3：0.7，0.35：0.65，0.4：0.6｝から選択されてもよい。これに基づいて、βが選択される特定の集合は、基地局によってUE1およびUE2に送信されるダウンリンクデータ信号の変調方式を参照してさらに決定されてもよい。例えば、基地局がUE1およびUE2に送信するダウンリンクデータ信号の変調方式が両方とも直交位相シフトキーイング（quadrature phase shift keying、QPSK）である場合には、βは、少なくとも0.2：0.8の要素または0.2：0.8に均等な要素を含む集合から選択することができる。例えば、集合は｛0.1：0.9，0.15：0.85，0.2：0.8，0.25：0.75，0.3：0.7，0.35：0.65，0.4：0.6｝とすることができる。基地局によってUE1に送信されるダウンリンク信号の変調方式が16直交振幅変調（quadrature amplitude modulation、QAM）であり、基地局によってUE2に送信されるダウンリンク信号の変調方式がQPSKである場合、βは、集合｛0.2：0.8，0.25：0.75，0.3：0.7，0.35：0.65，0.4：0.6｝から選択されてもよいし、βは、少なくとも要素10：32または10：32に均等な要素を含む集合から選択されてもよい。あるいは、基地局がUE1およびUE2に送信するダウンリンク信号の変調方式が両方とも16QPSKである場合には、βは、少なくとも10：160の要素または10：160に均等な要素を含む集合から選択することができる。
【００９２】
基地局が固定電力割り当てモードを使用する場合、βは固定値を有することができる。これに基づいて、特定のβは、基地局によってUE1およびUE2に送信されるダウンリンクデータ信号の変調方式を参照してさらに決定されてもよい。例えば、基地局によってUEおよびUE21に送信される信号の変調方式が両方ともQPSKである場合には、βは、0.2：0.8であってもよい。基地局によってUE1に送信されるダウンリンク信号の変調方式が16QAMであり、基地局によってUE2に送信されるダウンリンク信号の変調方式がQPSKである場合、βは、10：32であってもよい。基地局によってUE1に送信される信号の変調方式が64QAMであり、UE2の変調方式がQPSKである場合、βは、42：128であってもよい。あるいは、基地局によってUE1およびUE2に送信される信号の変調方式が両方とも16QAMである場合には、βは、1：16であってもよい。基地局によってUE1に送信される信号の変調方式がQPSKであり、基地局によってUE2に送信されるダウンリンク信号の変調方式が16QAMである場合、βは、1：20であってもよい。
【００９３】
基地局は、公平性を確保するために、信号対干渉および雑音比または変調方式または端末の両方などの因子に従って、集合から特定のβを選択することができることが理解されよう。このことは、本発明の本実施形態において限定されるものではない。
【００９４】
加えて、基地局は、端末が柔軟な電力割り当てモードをサポートするか固定電力割り当てモードをサポートするかに応じて、柔軟な電力割り当てモードを使用するか固定電力割り当てモードを使用するかを決定してもよいが、このことは、本発明の本実施形態において限定されない。
【００９５】
本発明の本実施形態では、例えば、端末によって送信された、復調が成功したか否かを示す情報を受信することによって、基地局は、データ送信の信頼性を向上させるために、データを再送信するか否かを決定できる。
【００９６】
さらに、本発明の本実施形態では、上述したように、基地局は、ダウンリンクデータ送信電力比／係数、もしくはダウンリンクデータ送信電力比／係数集合を端末に送信してもよい、またはダウンリンクデータ送信電力比／係数、もしくはダウンリンクデータ送信電力比／係数集合を端末に予め設定および格納してもよい。説明を容易にするために、ダウンリンクデータ送信電力比／係数およびダウンリンクデータ送信電力比／係数集合を総称して、ダウンリンクデータ送信電力比／係数情報と呼ぶことがある。
【００９７】
以下、基地局がダウンリンクデータ送信電力比／係数情報を端末に送信する処理について詳細に説明する。前述の実施形態に基づいて、本発明の本実施形態は、以下のステップをさらに含み得る。
【００９８】
S205．基地局は、ダウンリンクデータ送信電力比／係数情報またはダウンリンクデータ送信電力比／係数情報の指示情報を端末に送信する。
【００９９】
基地局は、ダウンリンクデータ送信電力比／係数情報を端末に直接送信してもよい、またはダウンリンクデータ送信電力比／係数情報の指示情報を端末に送信してもよい。
【０１００】
ダウンリンクデータ送信電力比／係数情報の指示情報の特定の値と、ダウンリンクデータ送信電力比／係数情報またはダウンリンクデータ送信電力比／係数情報と、の間には対応関係がある。端末は、指示情報に従って、β、β1、またはβ2が選択される特定の集合を決定してもよい、または端末は、指示情報に従って、β、β1、またはβ2の特定の値を直接決定してもよい。
【０１０１】
ダウンリンクデータ送信電力比／係数情報またはダウンリンクデータ送信電力比／係数情報の指示情報は、上位層シグナリングを用いて基地局によって端末に送信されてもよく、例えば、無線リソース制御（radio resource control、RRC）接続確立処理においてRRCシグナリングを使用して端末に送信される、またはブロードキャストメッセージを用いて基地局によって端末に送信される。ブロードキャストメッセージまたはRRCシグナリングを使用して送信を行う前述の方式は、半静的方式と呼ばれ得ることが理解されよう。この場合、S205はS201の前に行ってもよい。
【０１０２】
あるいは、ダウンリンクデータ送信電力比／係数情報またはダウンリンクデータ送信電力比／係数情報の指示情報は、端末に動的に送信されてもよく、既存のシグナリング（例えば、制御シグナリング）で搬送されてもよいし、専用シグナリングを使用して送信されてもよい。このことは、本発明の本実施形態において限定されるものではない。例えば、ダウンリンクデータ送信電力比／係数情報またはダウンリンクデータ送信電力比／係数情報の指示情報は、DCIに付加され、ダウンリング制御チャネルを用いて基地局から端末に送信される。この場合、S205はS201およびS202の前に行ってもよいし、S201およびS202と同時に行ってもよい。
【０１０３】
具体的には、少なくとも1ビットのフィールドを使用して、ダウンリンクデータ送信電力比／係数情報の指示情報を搬送することができる。βを一例として用いる。具体的には、例えば、ビット値とβとの対応関係を表3に示すことができる。
【０１０４】
【表８】
2019502319.tif 000023
【０１０５】
表3において、ビット値「00」が非ペア送信モードを示すためにさらに使用されること、すなわち、βに関する情報を運ぶことに加えて、フィールドは、送信モードに対応する端末タイプを黙示的に示すことができることが理解されよう。つまり、ビット値に対応するβが1である場合、フィールドは、非ペア送信モードを示す、またはビット値に対応するβが1以外の値である場合、フィールドは、ペア送信モードを示す。本発明の本実施形態では、ビットとβとの対応関係は、表1に示す対応関係に限定されるものではなく、対応関係を柔軟に指定することができることに留意されたい。例えば、「11」は、βが1であることを示してもよい。
【０１０６】
あるいは、より多くのビットのフィールドがβを示すために使用され、フィールドは、送信モードに対応する端末タイプを黙示的に示すために使用されないことがあることが理解されよう。このようにして、例えば表4に示すように、より多くのダウンリンクデータ送信電力比／係数情報を特定することができる。
【０１０７】
【表９】
2019502319.tif 000024
【０１０８】
別の可能な実装では、フィールドは、送信モードに対応する端末タイプに関する情報と、ダウンリンクデータ送信電力比／係数情報のインデックスと、を示す。
【０１０９】
場合により、基地局が、ランクが2である空間多重送信方式またはデュアルコードワードを含む空間多重送信モードを使用する場合、第2のフィールドは、各コードワードのダウンリンクデータ送信電力比／係数情報のインデックスを示すために使用されてもよい。さらに、ペア送信モードの場合、第2のフィールドは、ダウンリンクデータ送信電力比／係数情報を示すことに加えて、送信モードに対応する端末タイプに関する情報つまり、端末が非ペア送信モードにあることを黙示的に示してもよい。非ペア送信モードの場合、第2のフィールドはまた、送信モードに対応する端末タイプに関する情報を示すことができる。例えば、指示フィールドは4ビットを含み、フィールドの状態の指示された意味を表5に示すことができる。簡潔にするために、以下の実施形態では、「非ペア送信モードを使用すること」を「非ペア」と簡単に言う。
【０１１０】
【表１０】
2019502319.tif 000025
【０１１１】
あるいは、基地局が、ランクが2である空間多重送信方式またはデュアルコードワードを含む空間多重送信モードを使用する場合、ダウンリンクデータ送信電力比／係数情報のインデックスを示すフィールドを表6に示すことができる。
【０１１２】
【表１１】
2019502319.tif 000026
【０１１３】
表5および表6は、基地局が、ランクが2である空間多重送信方式またはデュアルコードワードを含む空間多重送信モードを使用する場合のダウンリンクデータ送信電力比／係数情報のインデックスを示すフィールドを説明するための単なる例であることが理解されよう。本発明の本実施形態では、ビット数およびダウンリンクデータ送信電力比／係数情報のインデックスを示すフィールドの特定の指示された意味は限定されない。
【０１１４】
場合により、基地局が、ランクが1である空間多重送信方式もしくはシングルコードワードを含む空間多重送信モードを使用する場合、またはマルチアンテナ送信ダイバーシティ送信モードを使用する場合、ダウンリンクデータ送信電力比／係数情報のインデックスを示すフィールドは、表7に示すように、4ビットであってもよい。
【０１１５】
【表１２】
2019502319.tif 000027
【０１１６】
あるいは、ダウンリンクデータ送信電力比／係数情報のインデックスを示すフィールドを表8に示すことができる。基地局がシングルコードワードのみを送信する場合、フィールドは表8の第1列および第2列に従って理解される。基地局がデュアルコードワードを送信する場合、フィールドは表8の第3列および第4列に従って理解される。
【０１１７】
【表１３】
2019502319.tif 000028
【０１１８】
あるいは、ダウンリンクデータ送信電力比／係数情報のインデックスを示すフィールドを表9に示すことができる。基地局がシングルコードワードのみを送信する場合、フィールドは表9の第1列および第2列に従って理解される。基地局がデュアルコードワードを送信する場合、フィールドは表9の第3列および第4列に従って理解される。
【０１１９】
【表１４】
2019502319.tif 000029
【０１２０】
別の可能な実装では、同じフィールドが使用されて、送信モードに対応する端末タイプに関する情報と、ダウンリンクデータ送信電力比／係数情報のインデックスと、プリコーディング情報と、を共同して示す。場合により、フィールドは6ビットを含むことができ、フィールドの状態の指示された意味を表10に示すこともできるし、表11に示すこともできる。
【０１２１】
【表１５Ａ】
2019502319.tif 000030
【表１５Ｂ】
2019502319.tif 000031
【表１５Ｃ】
2019502319.tif 000032
【表１５Ｄ】
2019502319.tif 000033
【表１５Ｅ】
2019502319.tif 000034
【表１５Ｆ】
2019502319.tif 000035
【表１５Ｇ】
2019502319.tif 000036
【表１５Ｈ】
2019502319.tif 000037
【表１５Ｉ】
2019502319.tif 000038
【表１５Ｊ】
2019502319.tif 000039
【表１５Ｋ】
2019502319.tif 000040
【０１２２】
【表１６Ａ】
2019502319.tif 000041
【表１６Ｂ】
2019502319.tif 000042
【表１６Ｃ】
2019502319.tif 000043
【表１６Ｄ】
2019502319.tif 000044
【表１６Ｅ】
2019502319.tif 000045
【表１６Ｆ】
2019502319.tif 000046
【表１６Ｇ】
2019502319.tif 000047
【表１６Ｈ】
2019502319.tif 000048
【表１６Ｉ】
2019502319.tif 000049
【表１６Ｊ】
2019502319.tif 000050
【表１６Ｋ】
2019502319.tif 000051
【０１２３】
表5から表11は、フィールドに含まれるビットに対応する値と、指示された意味と、の対応関係を説明するための単なる例であり、このことは本発明の本実施形態では限定されないことに留意されたい。加えて、コードワード0／コードワード1は、トランスポートブロック1／トランスポートブロック2または空間レイヤ0／空間レイヤ1とも呼ばれる場合がある。加えて、表5から表11の0番目／1番目／2番目の電力割り当て値に対応する特定の値は、端末の異なる変調方式に従って異なり得る。
【０１２４】
基地局は、すべてのアクセスされた端末またはスケジューリングされた端末に、またはペア送信モードにある端末のみに、ダウンリンクデータ送信電力比／係数情報またはダウンリンクデータ送信電力比／係数情報の指示情報を送信することができることに留意されたい。
【０１２５】
本発明の本実施形態では、端末に送信モードの指示情報を送信することに加えて、基地局は、ダウンリンクデータ送信電力比／係数情報またはダウンリンクデータ送信電力比／係数情報の指示情報を端末に送信してもよく、その結果、端末によって行われるデータ復調の信頼性を向上させ、端末によって行われるデータ復調の複雑度を低減しつつ、ダウンリンクデータ送信電力比／係数情報が比較的柔軟に構成される。
【０１２６】
端末は、基地局によって端末に送信されたデータの変調方式に従って、ダウンリンクデータ送信電力比／係数情報を決定することができる。従って、基地局は、上述した実施形態に基づいて、ペア送信モードにおける一対の端末において、一方の端末のすべての可能な使用される変調方式を含む集合に関する情報を他方の端末にさらに送信してもよい。具体的には、基地局は、ブロードキャストシグナリングまたはRRCシグナリングなどを使用して、すべての可能な使用される変調方式を含む集合に関する情報を半静的に送信することができる。ここでの説明を容易にするために、基地局によって端末に送信されるデータの変調方式は、端末によって使用される変調方式とも呼ばれる場合がある。
【０１２７】
あるいは、基地局は、すべての可能な使用される変調方式を含む集合に関する情報を送信しないが、すべての可能な使用される変調方式に関連する集合に関する情報を端末に予め格納することができる。あるいは、基地局は、ペア送信モードにある一対の端末の一方の端末によって使用される特定の変調方式を他方の端末に送信してもよい。具体的には、基地局は、使用された特定の変調方式を動的に送信することができる。例えば、一方の端末によって使用される特定の変調方式を示すフィールドをDCIに付加し、PDCCHを使用して他方の端末に送信することができる。
【０１２８】
図3に示すように、本発明の別の実施形態は、無線通信方法をさらに提供する。本方法は、MUSTシステムをサポートすることができる端末を使用して実装することができ、以下のステップを含み得る。
【０１２９】
S301．端末は、基地局によって送信され、送信モードに対応する端末タイプを示す情報を受信し、送信モードは、基地局によって決定され、現在のスケジューリング期間において端末にデータを送信するために使用される、送信モードであり、ペア送信モードまたは非ペア送信モードのうちの1つである。
【０１３０】
ペア送信モード、非ペア送信モード、および送信モードに対応する端末タイプを示す特定の情報の具体的な説明については、前述の実施形態の関連説明を参照されたい。ここでは細部を繰り返し説明しない。
【０１３１】
S302．端末は、送信モードに対応する端末タイプを示す情報に従って、端末によって使用される送信モードを取得する。
【０１３２】
S301で基地局によって送信された情報を受信した後、端末は、端末によって使用される特定の送信モードを知るために、情報を解析することができる。加えて、端末は、端末がペア送信モードを使用していることを知った場合、端末は、情報を用いて、端末がペア送信モードの近端端末であるか遠端端末であるかをさらに知ることができる。
【０１３３】
本発明の本実施形態では、端末は、基地局によって送信された情報に従って、端末のために構成された送信モードを決定することができ、その結果、端末は、送信モードに従って、対応する処理を行うことができ、それにより、処理効率を改善できる。例えば、端末は、復調効率および精度を改善するために、信号を復調するための適応受信アルゴリズムを選択することができる。
【０１３４】
さらに、本発明の本実施形態では、端末は、端末によって使用される送信モードに関連して、ダウンリンクデータ送信電力を決定することができる。本発明の本実施形態は、以下のステップをさらに含み得る。
【０１３５】
S303．端末は、基地局によって通知され、ダウンリンクデータ送信電力を決定するために使用される電力パラメータを受信する。
【０１３６】
電力パラメータPAMUSTの具体的な説明については、前述の実施形態の関連説明を参照されたい。ここでは細部を繰り返し説明しない。
【０１３７】
上述したように、PAMUSTは、既存のパラメータ、もしくは既存のパラメータの新しい理解、または既存のパラメータとは異なる新たに定義されたパラメータであってもよい。PAMUSTが既存のパラメータまたは既存のパラメータの新しい理解である場合、端末によって受信され、ダウンリンクデータ送信電力を決定するために使用される電力パラメータはPAMUSTである。PAMUSTが新たに定義されたパラメータである場合、端末によって受信され、ダウンリンクデータ送信電力を決定するために使用される電力パラメータは、既存のプロトコルで定義されたPAとPAMUSTとを含む。
【０１３８】
基地局は、電力パラメータを半静的に通知することができ、従って、S303はS301の前に実施することができる。
【０１３９】
S304．端末は、セル固有参照信号のリソース要素当たりのエネルギー、ダウンリンクデータ送信電力を決定するために使用される電力パラメータ、および現在のスケジューリング期間において端末にデータを送信するために基地局によって使用される送信モードを示す情報に従って、ダウンリンクデータ送信電力を決定する。
【０１４０】
PAMUSTが既存のパラメータまたは既存のパラメータの新しい理解である場合、端末は、使用された送信モードを区別することなく、PAMUSTを使用してダウンリンクデータ送信電力を決定する。PAMUSTが新たに定義されたパラメータである場合、端末は、端末によって使用される取得された送信モードに従って、ダウンリンクデータ送信電力を決定するために、PAMUSTを使用するかPAを使用するかを決定する。
【０１４１】
具体的には、端末が非ペア送信モードが端末に設定されていることを知った場合、端末は従来技術の方法に従ってダウンリンクデータ送信電力を決定することができる。例えば、3GPP TS 36.213 V12.3.0（2014．09）のセクション5.2の関連定義を参照すると、端末は、PAMUSTまたはPA、およびセル固有参照信号（cell-specific RS EPRE）のリソース要素当たりのエネルギー、例えば物理ダウンリンク共用チャネル（physical downlink shared channel、PDSCH）のリソース要素当たりのエネルギー（energy per resource element、EPRE）に従って、データを端末に送信するために基地局によって使用されるダウンリンクデータ送信電力を得ることができる。ペア送信モードにおいて、端末が遠端端末として構成されていることを端末が知った場合、端末は、ダウンリンクデータ送信電力比／係数情報に従って、ペア送信モードにある一対の端末のダウンリンクデータ送信電力において遠端端末が占有するダウンリンクデータ送信電力シェアを決定し、決定されたシェア、PAMUST、およびセル固有参照信号のリソース要素当たりのエネルギーに基づいて、データを遠端端末に送信するために基地局によって使用されるダウンリンクデータ送信電力をさらに決定してもよい。ペア送信モードにおいて、端末が近端端末として構成されていることを端末が知った場合、近端端末は、ダウンリンクデータ送信電力比／係数情報に従って、ペア送信モードにある一対の端末のダウンリンクデータ送信電力において近端端末が占有するダウンリンクデータ送信電力シェアを決定し、決定されたシェア、PAMUST、およびセル固有参照信号のリソース要素当たりのエネルギーに基づいて、データを近端端末に送信するために基地局によって使用されるダウンリンクデータ送信電力をさらに決定してもよい。
【０１４２】
上述したように、ダウンリンクデータ送信電力比／係数情報は、基地局によって送信されてもよく、端末は、基地局によって送信された情報に従ってダウンリンクデータ送信電力比／係数情報を取得してもよい。あるいは、ダウンリンクデータ送信電力比／係数情報は端末に格納されてもよく、端末は、端末がダウンリンクデータ送信電力比／係数情報を使用する必要がある場合に、ダウンリンクデータ送信電力比／係数情報を直接取得するのであってもよい。ダウンリンクデータ送信電力比／係数情報は、固定値であってもよいし、柔軟に選択される値であってもよい。詳細については、前述の関連説明を参照されたい。ここでは細部を繰り返し説明しない。
【０１４３】
さらに、近端端末／遠端端末が、ダウンリンクデータ送信電力比／係数情報に従って、近端端末／遠端端末によって占有されるダウンリンクデータ送信電力シェアを決定する方式は、以下の通りであり得る。ダウンリンクデータ送信電力比／係数情報がダウンリンクデータ送信電力比／係数である場合と、ダウンリンクデータ送信電力比／係数情報がダウンリンクデータ送信電力比／係数集合である場合と、について以下別々に説明する。
【０１４４】
1．ダウンリンクデータ送信電力比／係数情報が、ダウンリンクデータ送信電力比／係数である場合：
【０１４５】
端末が、ダウンリンクデータ送信電力比に従って、端末によって占有されるダウンリンクデータ送信電力シェアを決定すると仮定すると、端末によって占有されるダウンリンクデータ送信電力シェアを端末が決定する方式は、ダウンリンクデータ送信電力比の表現形態に応じてわずかに変わり得る。
【０１４６】
例えば、上述の形態では、すなわち、遠端端末のダウンリンクデータ送信電力に対する近端端末のダウンリンクデータ送信電力の比＝X：Yであり、近端端末によって占有されるダウンリンクデータ送信電力はXであり、遠端端末によって占有されるダウンリンクデータ送信電力はYである。従って、3GPP TS 36.213 V12.3.0（2014．09）のセクション5.2の関連定義を参照して、PAMUSTに従って計算によって得られたPDSCH ERPEがPであると仮定すると、近端端末にデータを送信するために基地局によって使用されるダウンリンクデータ送信電力はP＊Xであり、遠端端末にデータを送信するために基地局によって使用されるダウンリンクデータ送信電力はP＊Yである。
【０１４７】
例えば、上述の形態では、すなわち、遠端端末のダウンリンクデータ送信電力に対する近端端末のダウンリンクデータ送信電力の比＝B：Aであり、近端端末によって占有されるダウンリンクデータ送信電力シェアはA／（A＋B）であり、遠端端末によって占有されるダウンリンクデータ送信電力シェアはB／（A＋B）である。基地局が近端端末または遠端端末にデータを送信するために使用するダウンリンクデータ送信電力を計算するための具体的な式は、P＊Xの計算方式と同様であってもよく、ここでは1つずつ例を挙げることはしない。
【０１４８】
端末が、ダウンリンクデータ送信係数に従って、端末によって占有されるダウンリンクデータ送信電力シェアを決定すると仮定すると、係数は端末によって占有されるダウンリンクデータ送信電力シェアである。
【０１４９】
2．ダウンリンクデータ送信電力比／係数情報が、ダウンリンクデータ送信電力比／係数集合である場合：
【０１５０】
端末によって占有されるダウンリンクデータ送信電力シェアが、ダウンリンクデータ送信比集合に従って決定されているかダウンリンクデータ送信係数集合に従って決定されているかに関係なく、端末は、ダウンリンクデータ送信電力シェアを決定するために、ブラインド検出方法を使用して、上述の集合から特定のダウンリンクデータ送信比／係数を決定してもよい。例えば、端末は、最尤基準に従ってダウンリンクデータ送信電力シェアを決定するために、上述の集合を1つずつ試行してもよい。相違点は、ダウンリンクデータ送信比集合を使用する場合、端末は、遠端端末または近端端末によって占有される特定のダウンリンクデータ送信電力シェアを取得するために、変換または決定をさらに行う必要があることにある。
【０１５１】
上述した実施形態では、端末は、セル固有参照信号のリソース要素当たりのエネルギー、電力パラメータ、および送信モードに対応する端末タイプを示す情報に従って、ダウンリンクデータ送信電力を決定し、それにより、端末によって実行されるデータ復調の信頼性を向上させ、端末によって実行されるデータ復調の複雑度を低減する。
【０１５２】
さらに、端末は、ダウンリンクデータ送信電力を決定し、データ復調を完了した後、復調が成功したか否かを示す情報を基地局にさらにフィードバックし、その結果、基地局は、データ送信の信頼性を向上させるために、データの再送の可否を決定する。具体的な復調方式については、従来技術の方式を参照されたい。例えば、データ信号の巡回冗長検査値が0である場合、現在のデータ信号が正常に復調されたと判定され、データ信号の巡回冗長検査値が1である場合、現在のデータ信号の復調に失敗したと判定される。
【０１５３】
さらに、ダウンリンクデータ送信電力比／係数情報が端末に予め格納されている場合には、ペア送信モードにある端末は、特定のダウンリンクデータ送信電力比／係数を決定するために、ペア送信モードにある一対の端末の他方の端末に基地局によって送信されたデータの変調方式をさらに取得できる。例えば、UE1は、｛0.1：0.9，0.15：0.85，0.2：0.8，0.25：0.75，0.3：0.7，0.35：0.65，0.4：0.6｝と｛0.2：0.8，0.25：0.75，0.3：0.7，0.35：0.65，0.4：0.6｝との2つの集合を格納すると仮定すると、基地局によってUE1に送信されるデータの変調方式はQPSKである。UE1は、UE1が基地局によってUE2に送信されるデータの変調方式もQPSKであることを知ると、アルゴリズムの複雑度と計算量を削減するために、｛0.1：0.9，0.15：0.85，0.2：0.8，0.25：0.75，0.3：0.7，0.35：0.65，0.4：0.6｝のみにおいてブラインド検出を行うことができる。
【０１５４】
本発明の一実施形態は、基地局400をさらに提供する。基地局400は、上記実施形態の基地局が行う方法におけるステップ／動作を実現することができる。例えば、図4に示すように、基地局400は、MUSTシステムをサポートすることができ、
現在のスケジューリング期間において端末にデータを送信するために使用される送信モードを決定するように構成された第1の決定モジュール401であって、送信モードが、ペア送信モードまたは非ペア送信モードのうちの1つである、第1の決定モジュール401と、
送信モードに対応する端末タイプを示す情報を端末に送信するように構成された送信モジュール402と、
を備える。
【０１５５】
第1の決定モジュール401は、異なる要求または要因に従って、現在スケジュールされている各端末について送信モードを決定することができる。具体的な方式については、方法の実施形態における関連説明を参照されたい。
【０１５６】
加えて、送信モジュール402が送信モードに対応する端末タイプを示し、送信モードに対応する端末タイプを示す情報を端末に転送する具体的な方式については、方法実施形態の関連説明を参照されたい。
【０１５７】
本発明の本実施形態における基地局400によれば、端末は、送信モード情報を知ることができ、その結果、端末は、送信モードに従って対応する処理を実行することができる。例えば、端末は、復調効率および精度を改善するために、信号を復調するための適応受信アルゴリズムを選択することができる。
【０１５８】
さらに、端末は、対応する送信モードに従ってダウンリンクデータ送信電力を決定してもよい。端末がダウンリンクデータ送信電力を取得できるようにするために、本発明の本実施形態における送信モジュール402は、ダウンリンクデータ送信電力を決定するために使用される電力パラメータを端末に通知するようにさらに構成されてもよい。電力パラメータはPAMUSTを含む。
【０１５９】
PAMUSTが既存のパラメータまたは既存のパラメータの新しい理解である場合、送信モジュール402によって端末に通知され、ダウンリンクデータ送信電力を決定するために使用される電力パラメータはPAMUSTである。PAMUSTが、既存のパラメータとは異なる新たに定義されたパラメータである場合、送信モジュール402によって端末に通知され、ダウンリンクデータ送信電力を決定するために使用される電力パラメータは、PAMUSTおよびPAを含む。送信モジュール402は、セル内のペア送信モードにあるすべての端末対に同じPAMUSTを送信してもよいし、ペア送信端末の各対に別々のPAMUSTを送信してもよい。ペア送信モードにおける異なる対の端末のPAMUST値は、等しくても等しくなくてもよい。
【０１６０】
上述の実施形態では、基地局は、ダウンリンクデータ送信電力を決定するために使用される電力パラメータを端末に通知し、その結果、端末が、ダウンリンクデータ送信電力を知ることができ、それにより、端末によって行われるデータ復調の信頼性が向上し、端末によって行われるデータ復調の複雑さが軽減される。
【０１６１】
加えて、基地局400は、端末によって送信されたフィードバック情報を受信するように構成された受信モジュール403をさらに備えることができる。フィードバック情報は、端末が復調を行った後に、送信モードに対応する端末タイプ、ダウンリンクデータ送信電力を決定するために使用される電力パラメータ、およびセル固有参照信号のリソース要素当たりのエネルギーに基づいて、端末によってフィードバックされた、復調が成功したか否かを示す情報である、またはフィードバック情報は、端末が復調を行った後に、送信モードに対応する端末タイプ、ダウンリンクデータ送信電力比／係数情報、ダウンリンクデータ送信電力を決定するために使用される電力パラメータ、およびセル固有参照信号のリソース要素当たりのエネルギーに基づいて、端末によってフィードバックされた、復調が成功したか否かを示す情報である。
【０１６２】
ペア送信モードにある2つの端末のダウンリンクデータ送信電力比／係数については、上述の実施形態の関連説明を参照されたい。本発明の本実施形態では、例えば、端末によって送信された、復調が成功したか否かを示す情報を受信することによって、基地局は、データ送信の信頼性を向上させるために、データを再送信するか否かを決定できる。
【０１６３】
さらに、本発明の本実施形態では、基地局は、ダウンリンクデータ送信電力比／係数またはダウンリンクデータ送信電力比／係数集合を端末に送信してもよい。この場合、送信モジュール402は、ダウンリンクデータ送信電力比／係数情報またはダウンリンクデータ送信電力比／係数情報の指示情報を端末に送信するようにさらに構成されてもよい。送信モジュール402は、上位層シグナリングまたはダウンリンク制御情報を用いて、ダウンリンクデータ送信電力比／係数情報またはダウンリンクデータ送信電力比／係数情報の指示情報を、端末に特に送信することができる。
【０１６４】
さらに、送信モジュール402は、第1のフィールドを使用して、端末のペア端末の復調参照信号（DMRS）ポートの指示情報または端末のペア端末の変調方式の指示情報のうちの少なくとも1つを端末にさらに送信してもよい。場合により、第1のフィールドは、端末のタイプ、および復調パイロットDMRSポート、および端末のペア端末の変調方式をジョイント符号化方式で示すことができる。
【０１６５】
あるいは、送信モジュール402は、端末に第2のフィールドを送信するようにさらに構成されてもよく、第2のフィールドは、ダウンリンクデータ送信電力比／係数情報および送信モードに対応する端末タイプを示す。送信モードに対応する端末タイプは、各空間レイヤにおける端末に対応する送信モードを含み、ダウンリンクデータ送信電力比／係数情報は、各空間レイヤにおける端末のダウンリンクデータ送信電力比／係数の値または各空間レイヤにおける端末のダウンリンクデータ送信電力比／係数のインデックスを含む。送信モジュールの具体的な機能および実装については、方法の実施形態の関連説明を参照されたい。ここでは細部を繰り返し説明しない。
【０１６６】
加えて、本発明の本実施形態では、基地局400は、ダウンリンクデータ送信電力比／係数情報を決定するように構成された第2の決定モジュール404をさらに含むことができる。例えば、第2の決定モジュール404は、端末によって使用される信号変調方式と端末の信号対干渉および雑音比とに従って、ダウンリンクデータ送信電力比／係数情報を決定することができる。詳細については、方法の実施形態における関連説明を参照されたい。送信モジュール402は、第2の決定モジュール404によって決定されたダウンリンクデータ送信電力比／係数情報、または第2の決定モジュール404によって決定されたダウンリンクデータ送信電力比／係数情報を示す情報を端末に送信するように特に構成される。
【０１６７】
加えて、送信モジュール402は、ペア送信モードにある一対の端末の一方の端末によって使用される変調方式に関する情報を他の端末に送信するようにさらに構成されてもよい。例えば、送信モジュール402は、ペア送信モードにある一対の端末の一方の端末によって使用される特定の変調方式を他方の端末に送信してもよいし、ペア送信モードにある一対の端末の一方の端末のすべての可能な使用される変調方式を含む集合に関する情報を他方の端末に送信してもよい。このことは、本発明の本実施形態において限定されるものではない。
【０１６８】
第1の決定モジュール401および第2の決定モジュール404は、プロセッサを用いて実現されてもよいことが理解されよう。プロセッサは、中央演算装置（Central Processing Unit、略称CPU）もしくは別の汎用プロセッサ、デジタルシグナルプロセッサ（Digital Signal Processing、略称DSP）、特定用途向け集積回路（Application Specific Integrated Circuit、略称ASIC）、フィールドプログラマブルゲートアレイ（Field-Programmable Gate Array、略称FPGA）、または別のプログラマブルロジックデバイス、別個のゲートもしくはトランジスタロジックデバイス、別個のハードウェアコンポーネントなどであってもよい。汎用プロセッサは、マイクロプロセッサであってもよいし、プロセッサは、任意の従来のプロセッサなどであってもよい。送信モジュール402は、送信機を使用して実装されてもよく、受信モジュール403は、受信機を使用して実装されてもよい。機能モジュールは、それぞれの対応するハードウェアユニットによって別々に実装される。本発明の本実施形態における基地局の機能モジュールの機能は、方法の実施形態の方法に従って具体的に実施されてもよいことが理解されよう。機能の具体的な実施プロセスについては、方法の実施形態における関連説明を参照されたい。ここでは細部を繰り返し説明しない。ここで、受信機および送信機は、例えば無線周波数回路を用いて、関連する動作を実施し、無線周波数回路は情報または信号を送受信するように構成されてもよいことを理解されたい。
【０１６９】
本発明の別の実施形態は、基地局500をさらに提供する。基地局500は、上記実施形態の基地局が行う方法におけるステップ／動作を実現することができる。例えば、基地局500は、MUSTシステムをサポートすることができる。図5に示すように、基地局500は、現在のスケジューリング期間において端末にデータを送信するために使用される送信モードを決定するように構成されたプロセッサ501であって、送信モードが、ペア送信モードまたは非ペア送信モードのうちの1つである、プロセッサ501と、送信モードに対応する端末タイプを示す情報を端末に送信するように構成された送信機502と、を備える。
【０１７０】
加えて、送信機502は、ダウンリンクデータ送信電力を決定するために使用される電力パラメータを端末に通知するようにさらに構成されてもよく、電力パラメータがPAMUSTを含む。
【０１７１】
基地局500は、端末によって送信されたフィードバック情報を受信するように構成された受信機503をさらに備え、フィードバック情報は、端末が復調を行った後に、送信モードに対応する端末タイプ、ダウンリンクデータ送信電力を決定するために使用される電力パラメータ、およびセル固有参照信号のリソース要素当たりのエネルギーに基づいて、端末によってフィードバックされた、復調が成功したか否かを示す情報である、またはフィードバック情報は、端末が復調を行った後に、送信モードに対応する端末タイプ、ダウンリンクデータ送信電力比／係数情報、ダウンリンクデータ送信電力を決定するために使用される電力パラメータ、およびセル固有参照信号のリソース要素当たりのエネルギーに基づいて、端末によってフィードバックされた、復調が成功したか否かを示す情報である。
【０１７２】
さらに、送信機502は、ダウンリンクデータ送信電力比／係数情報またはダウンリンクデータ送信電力比／係数情報の指示情報を端末に送信するようにさらに構成されてもよい。送信機502は、上位層シグナリングまたはダウンリンク制御情報を用いて、ダウンリンクデータ送信電力比／係数情報またはダウンリンクデータ送信電力比／係数情報の指示情報を、端末に特に送信することができる。
【０１７３】
さらに、送信機502は、第1のフィールドを使用して、端末のペア端末の復調参照信号（DMRS）ポートの指示情報または端末のペア端末の変調方式の指示情報のうちの少なくとも1つを端末にさらに送信してもよい。場合により、第1のフィールドは、端末のタイプ、および復調パイロットDMRSポート、および端末のペア端末の変調方式をジョイント符号化方式で示すことができる。
【０１７４】
あるいは、送信機502は、端末に第2のフィールドを送信するようにさらに構成されてもよく、第2のフィールドは、ダウンリンクデータ送信電力比／係数情報および送信モードに対応する端末タイプを示す。送信モードに対応する端末タイプは、各空間レイヤにおける端末に対応する送信モードを含み、ダウンリンクデータ送信電力比／係数情報は、各空間レイヤにおける端末のダウンリンクデータ送信電力比／係数の値または各空間レイヤにおける端末のダウンリンクデータ送信電力比／係数のインデックスを含む。
【０１７５】
プロセッサ501は、ダウンリンクデータ送信電力比／係数情報を決定するようにさらに構成されてもよく、例えば、プロセッサ501は、端末によって使用される信号変調方式と、端末の信号対干渉および雑音比と、に従って、ダウンリンクデータ送信電力比／係数情報を決定してもよい。詳細については、方法の実施形態における関連説明を参照されたい。
【０１７６】
加えて、送信機502は、ペア送信モードにある一対の端末の一方の端末によって使用される変調方式に関する情報を他の端末に送信するようにさらに構成されてもよい。例えば、送信機502は、ペア送信モードにある一対の端末の一方の端末によって使用される特定の変調方式を他方の端末に送信してもよいし、ペア送信モードにある一対の端末の一方の端末のすべての可能な使用される変調方式を含む集合に関する情報を他方の端末に送信してもよい。このことは、本発明の本実施形態において限定されるものではない。
【０１７７】
本発明の本実施形態における基地局のプロセッサ501、送信機502、および受信機503の特定の実装および相互関係のために、方法の実施形態における方法の特定の説明を参照すればよいことが理解されよう。ここでは細部を繰り返し説明しない。ここで、受信機および送信機は、例えば無線周波数回路を用いて、関連する動作を実施し、無線周波数回路は情報または信号を送受信するように構成されてもよいことを理解されたい。
【０１７８】
本発明の一実施形態は、端末600を提供する。端末600は、上記実施形態の端末が行う方法におけるステップ／動作を実現することができる。例えば、端末600は、MUSTシステムをサポートすることができる。図6に示すように、端末600は、
基地局によって送信された、送信モードに対応する端末タイプを示す情報を受信するように構成された受信モジュール601であって、送信モードが、基地局によって決定され、かつ現在のスケジューリング期間において端末にデータを送信するために使用される送信モードであり、ペア送信モードまたは非ペア送信モードのうちの1つである、受信モジュール601と、
受信モジュール601によって受信された情報に従って、端末600によって使用される送信モードを決定するように構成される第1の決定モジュール602と、
を備える。
【０１７９】
本発明の本実施形態では、端末600は、基地局によって送信された情報に従って、使用される送信モードを決定することができ、その結果、端末は、送信モードに従って、対応する処理を行うことができ、それにより、処理効率を改善できる。例えば、端末600は、復調効率および精度を改善するために、信号を復調するための適応受信アルゴリズムを選択することができる。
【０１８０】
さらに、本発明の本実施形態では、端末は、使用される送信モードに関連して、ダウンリンクデータ送信電力を決定することができる。この場合、受信モジュール601は、基地局によって通知され、ダウンリンクデータ送信電力を決定するために使用される電力パラメータを受信するようにさらに構成される。上述したように、PAMUSTは、既存のパラメータ、もしくは既存のパラメータの新しい理解、または既存のパラメータとは異なる新たに定義されたパラメータであってもよい。PAMUSTが既存のパラメータまたは既存のパラメータの新しい理解である場合、端末によって受信され、ダウンリンクデータ送信電力を決定するために使用される電力パラメータはPAMUSTである。PAMUSTが新たに定義されたパラメータである場合、端末によって受信され、ダウンリンクデータ送信電力を決定するために使用される電力パラメータは、既存のプロトコルで定義されたPAとPAMUSTとを含む。
【０１８１】
第2の決定モジュール603は、セル固有参照信号のリソース要素当たりのエネルギー、受信モジュール601によって受信され、ダウンリンクデータ送信電力を決定するために使用される電力パラメータ、および第1の決定モジュール601によって決定され、端末600によって使用される送信モードに従って、ダウンリンクデータ送信電力を決定するように構成される。
【０１８２】
現在のスケジューリング期間において端末にデータを送信するために基地局によって使用される送信モードを示す情報に従って、端末600が、端末に対して非ペア送信モードが設定されていることを知った場合、端末600は、従来技術の方法に従って、ダウンリンクデータ送信電力を決定してもよい。現在のスケジューリング期間において端末600にデータを送信するために基地局によって使用される送信モードを示す情報に従って、ペア送信モードにおいて、端末600が遠端端末として構成されていることを端末600が知った場合、端末600は、ダウンリンクデータ送信電力比／係数情報に従って、ペア送信モードにある一対の端末のダウンリンクデータ送信電力において遠端端末が占有するダウンリンクデータ送信電力シェアを決定し、決定されたシェア、PAMUST、およびセル固有参照信号のリソース要素当たりのエネルギーに基づいて、データを遠端端末に送信するために基地局によって使用されるダウンリンクデータ送信電力をさらに決定してもよい。現在のスケジューリング期間において端末にデータを送信するために基地局によって使用される送信モードを示す情報に従って、ペア送信モードにおいて、端末600が近端端末として構成されていることを端末600が知った場合、端末600は、ダウンリンクデータ送信電力比／係数情報に従って、ペア送信モードにある一対の端末のダウンリンクデータ送信電力において近端端末が占有するダウンリンクデータ送信電力シェアを決定し、決定されたシェア、PAMUST、およびセル固有参照信号のリソース要素当たりのエネルギーに基づいて、データを近端端末に送信するために基地局によって使用されるダウンリンクデータ送信電力をさらに決定してもよい。
【０１８３】
上述したように、ダウンリンクデータ送信電力比／係数情報は、基地局によって送信されてもよく、端末は、基地局によって送信された情報に従ってダウンリンクデータ送信電力比／係数情報を取得してもよい。あるいは、ダウンリンクデータ送信電力比／係数情報は端末に格納されてもよく、端末は、端末がダウンリンクデータ送信電力比／係数情報を使用する必要がある場合に、ダウンリンクデータ送信電力比／係数情報を直接取得するのであってもよい。
【０１８４】
ダウンリンクデータ送信電力比／係数情報が基地局によって送信される場合、受信モジュール601は、基地局によって送信されたダウンリンクデータ送信電力比／係数情報を受信するようにさらに構成されてもよい。ダウンリンクデータ送信電力比／係数情報の具体的な説明については、上述の実施形態の関連説明を参照されたい。ここでは細部を繰り返し説明しない。受信モジュール601は、第2のフィールドを使用して、ダウンリンクデータ送信電力比／係数情報またはダウンリンクデータ送信電力比／係数情報の指示情報を受信してもよい。具体的には、第2のフィールドは、ダウンリンクデータ送信電力比／係数情報と、送信モードに対応する端末タイプと、を示す。送信モードに対応する端末タイプは、各空間レイヤにおける端末に対応する送信モードを含み、ダウンリンクデータ送信電力比／係数情報は、各空間レイヤにおける端末のダウンリンクデータ送信電力比／係数の値または各空間レイヤにおける端末のダウンリンクデータ送信電力比／係数のインデックスを含む。さらに、第2のフィールドは、プリコーディング情報をさらに示してもよい。この場合、第2のフィールドは、送信モードに対応する端末タイプに関する情報、ダウンリンクデータ送信電力比／係数情報、およびプリコーディング情報をジョイント符号化方式で示す。
【０１８５】
場合により、受信モジュール601は、第1のフィールドを受信するようにさらに構成されてもよく、第1のフィールドは、端末のペア端末の復調参照信号DMRSポートの指示情報または端末のペア端末の変調方式の指示情報のうちの少なくとも1つを含む。具体的には、第1のフィールドは、端末のタイプ、および復調パイロットDMRSポート、および端末のペア端末の変調方式をジョイント符号化方式で示す。
【０１８６】
ダウンリンクデータ送信電力比／係数情報が端末に格納される場合、端末600は、ダウンリンクデータ送信電力比／係数情報を格納するように構成されたメモリ604をさらに備えることができる。
【０１８７】
さらに、端末600は、第2の決定モジュール603によって決定されたダウンリンクデータ送信電力に従って、データ復調を完了するように構成された復調モジュール605と、復調が成功したか否かを示す情報を基地局にフィードバックするように構成されたフィードバックモジュール606と、を備える。
【０１８８】
加えて、ダウンリンクデータ送信電力比／係数情報が端末に予め格納されている場合、ペア送信モードにある端末は、ペア送信モードにある一対の端末の他方の端末によって使用される変調方式に関する情報を取得するように構成された取得モジュール607をさらに備えることができる。例えば、取得モジュール607は、ペア送信モードにある一対の端末の他方の端末によって使用される特定の変調方式を取得してもよいし、ペア送信モードにある一対の端末の他方の端末のすべての可能な使用される変調方式を含む集合に関する情報を取得してもよい。このことは、本発明の本実施形態において限定されるものではない。具体的には、端末は、基地局によって送信された関連情報に従って、ペア送信モードにある一対の端末の他方の端末によって使用される変調方式に関する情報を取得してもよいし、端末に予め格納された変調方式情報に従って、ペア送信モードにある一対の端末の他方の端末によって使用される変調方式に関する情報を取得してもよい。このことは、本発明の本実施形態において限定されるものではない。取得モジュール607が、ペア送信モードにある他方の端末によって使用される変調方式を取得した後、第2の決定モジュール603は、ダウンリンクデータ送信電力を決定するために、取得された変調方式に従って、ダウンリンクデータ送信電力比／係数を決定するようにさらに構成される。
【０１８９】
第1の決定モジュール602、第2の決定モジュール603、取得モジュール607は、プロセッサを用いて実現されてもよいことが理解されよう。プロセッサは、中央演算装置（Central Processing Unit、略称CPU）もしくは別の汎用プロセッサ、デジタルシグナルプロセッサ（Digital Signal Processing、略称DSP）、特定用途向け集積回路（Application Specific Integrated Circuit、略称ASIC）、フィールドプログラマブルゲートアレイ（Field-Programmable Gate Array、略称FPGA）、または別のプログラマブルロジックデバイス、別個のゲートもしくはトランジスタロジックデバイス、別個のハードウェアコンポーネントなどであってもよい。汎用プロセッサは、マイクロプロセッサであってもよいし、プロセッサは、任意の従来のプロセッサなどであってもよい。フィードバックモジュール606は送信機を使用して実装することができ、受信モジュール601は受信機を使用して実装することができ、復調モジュール605はプロセッサを使用して実装することができる。機能モジュールは、それぞれの対応するハードウェアユニットによって別々に実装される。本発明の本実施形態における端末の機能モジュールの機能は、方法の実施形態の方法に従って具体的に実施されてもよいことが理解されよう。機能の具体的な実施プロセスについては、方法の実施形態における関連説明を参照されたい。ここでは細部を繰り返し説明しない。ここで、受信機および送信機は、例えば無線周波数回路を用いて、関連する動作を実施し、無線周波数回路は情報または信号を送受信するように構成されてもよいことを理解されたい。
【０１９０】
本発明の別の実施形態は、端末700をさらに提供する。端末700は、上記実施形態の端末が行う方法におけるステップ／動作を実現することができる。例えば、端末700は、MUSTシステムをサポートすることができる。図7に示すように、端末700は、
基地局によって送信された、送信モードに対応する端末タイプを示す情報を受信するように構成された受信機701であって、送信モードが、基地局によって決定され、かつ現在のスケジューリング期間において端末にデータを送信するために使用される送信モードであり、ペア送信モードまたは非ペア送信モードのうちの1つである、受信機701と、
受信機701によって受信された、現在のスケジューリング期間において端末にデータを送信するために基地局によって使用される送信モードを示す情報に従って、端末700によって使用される送信モードを決定するように構成されるプロセッサ702と、
を備えてもよい。
【０１９１】
さらに、受信機701は、基地局によって通知され、ダウンリンクデータ送信電力を決定するために使用される電力パラメータを受信するようにさらに構成されてもよい。電力パラメータおよび電力パラメータの通知方式については、前述の実施形態における関連説明を参照されたい。
【０１９２】
さらに、本発明の本実施形態では、端末は、使用される送信モードに関連して、ダウンリンクデータ送信電力を決定することができる。この場合、プロセッサ702は、セル固有参照信号のリソース要素当たりのエネルギー、受信機701によって受信され、ダウンリンクデータ送信電力を決定するために使用される電力パラメータ、および現在のスケジューリング期間において端末にデータを送信するために基地局によって使用される送信モードを示す情報に従って、ダウンリンクデータ送信電力を決定するようにさらに構成されてもよい。
【０１９３】
さらに、プロセッサ702は、決定されたダウンリンクデータ送信電力に従って、データ復調をさらに完了することができる。この場合、プロセッサ702は復調モジュールを含み、送信機703は、復調が成功したか否かを示す情報を基地局にフィードバックするように構成されると考えられる。
【０１９４】
上述したように、ダウンリンクデータ送信電力比／係数情報は、基地局によって送信されてもよく、端末は、基地局によって送信された情報に従ってダウンリンクデータ送信電力比／係数情報を取得してもよい。あるいは、ダウンリンクデータ送信電力比／係数情報は端末に格納されてもよく、端末は、端末がダウンリンクデータ送信電力比／係数情報を使用する必要がある場合に、ダウンリンクデータ送信電力比／係数情報を直接取得するのであってもよい。さらに、ダウンリンクデータ送信電力比／係数情報が基地局によって送信される場合、受信機701は、基地局によって送信されたダウンリンクデータ送信電力比／係数情報を受信するようにさらに構成されてもよい。ダウンリンクデータ送信電力比／係数情報の具体的な説明については、上述の実施形態の関連説明を参照されたい。ここでは細部を繰り返し説明しない。受信機701は、第2のフィールドを使用して、ダウンリンクデータ送信電力比／係数情報またはダウンリンクデータ送信電力比／係数情報の指示情報を受信してもよい。具体的には、第2のフィールドは、ダウンリンクデータ送信電力比／係数情報と、送信モードに対応する端末タイプと、を示す。送信モードに対応する端末タイプは、各空間レイヤにおける端末に対応する送信モードを含み、ダウンリンクデータ送信電力比／係数情報は、各空間レイヤにおける端末のダウンリンクデータ送信電力比／係数の値または各空間レイヤにおける端末のダウンリンクデータ送信電力比／係数のインデックスを含む。さらに、第2のフィールドは、プリコーディング情報をさらに示してもよい。この場合、第2のフィールドは、送信モードに対応する端末タイプに関する情報、ダウンリンクデータ送信電力比／係数情報、およびプリコーディング情報をジョイント符号化方式で示す。
【０１９５】
場合により、受信機701は、第1のフィールドを受信するようにさらに構成されてもよく、第1のフィールドは、端末のペア端末の復調参照信号DMRSポートの指示情報または端末のペア端末の変調方式の指示情報のうちの少なくとも1つを含む。具体的には、第1のフィールドは、端末のタイプ、および復調パイロットDMRSポート、および端末のペア端末の変調方式をジョイント符号化方式で示す。
【０１９６】
ダウンリンクデータ送信電力比／係数情報が端末に格納される場合、端末700は、ダウンリンクデータ送信電力比／係数情報を格納するように構成されたメモリ704をさらに備えることができる。
【０１９７】
加えて、ダウンリンクデータ送信電力比／係数情報が端末に予め格納されている場合、ペア送信モードにある端末について、プロセッサ702は、ペア送信モードにある一対の端末の他方の端末によって使用される変調方式に関する情報を取得するようにさらに構成されてもよい。例えば、プロセッサ702は、ペア送信モードにある一対の端末の他方の端末によって使用される特定の変調方式を取得してもよいし、ペア送信モードにある一対の端末の他方の端末のすべての可能な使用される変調方式を含む集合に関する情報を取得してもよい。このことは、本発明の本実施形態において限定されるものではない。具体的には、端末は、基地局によって送信された関連情報に従って、ペア送信モードにある一対の端末の他方の端末によって使用される変調方式に関する情報を取得してもよいし、端末に予め格納された変調方式情報に従って、ペア送信モードにある一対の端末の他方の端末によって使用される変調方式に関する情報を取得してもよい。このことは、本発明の本実施形態において限定されるものではない。ペア送信モードにある他方の端末によって使用される変調方式を取得した後、プロセッサ702は、ダウンリンクデータ送信電力を決定するために、取得された変調方式に従って、ダウンリンクデータ送信電力比／係数を決定するようにさらに構成される。
【０１９８】
本発明の本実施形態における端末の受信機701、プロセッサ702、送信機703、およびメモリ704の特定の実装および相互関係のために、方法の実施形態における方法の特定の説明を参照すればよいことが理解されよう。ここでは細部を繰り返し説明しない。ここで、受信機および送信機は、例えば無線周波数回路を用いて、関連する動作を実施し、無線周波数回路は情報または信号を送受信するように構成されてもよいことを理解されたい。
【０１９９】
上述した実施形態では、各実施形態の説明には、それぞれの重点がある。一実施形態において詳細に記載されていない部分については、他の実施形態における関連説明を参照されたい。
【０２００】
当業者であれば、本明細書で開示した各実施形態において説明した例と組み合わせて、電子的ハードウェアまたはコンピュータソフトウェアと電子的ハードウェアとの組み合わせによって、ユニットおよびアルゴリズムステップを実施できることを承知しているはずである。機能をハードウェアで行うかソフトウェアで行うかは、技術的解決策の具体的なアプリケーションと設計制約条件とによって決まる。当業者は、異なる方法を使用して、それぞれの具体的なアプリケーションに対して、説明された機能を実施できるが、こうした実施が、本発明の範囲を超えるものであるとみなすべきではない。
【０２０１】
当業者であれば、説明を簡便にする目的で、上記のシステム、装置およびユニットの詳細な動作プロセスについては、上記方法実施形態における対応するプロセスを参照することを明確に理解するはずである。ここでは細部を繰り返し説明しない。
【０２０２】
本出願において提供されるいくつかの実施形態においては、開示のシステム、装置、および方法を他のやり方で実装することもできることを理解されたい。例えば、説明された装置実施形態は単なる例にすぎない。例えば、ユニットの分割は単なる論理的機能分割にすぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０２０３】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の要件に従って選択することもできる。
【０２０４】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。
【０２０５】
機能がソフトウェア機能ユニットの形態で実現され、独立した製品として販売される場合、機能は、コンピュータ可読記憶媒体に記憶することができる。そうした理解に基づき、本発明の技術解決策を本質的に、または従来技術に寄与する部分を、または技術的な解決策の一部を、ソフトウェア製品の形態で実現することができる。ソフトウェア製品は記憶媒体に記憶されており、（パーソナルコンピュータ、サーバ、もしくはネットワーク機器などとすることができる）コンピュータデバイスに、本発明の各実施形態で記述されている方法のステップのすべてまたは一部を実行するよう命令するためのいくつかの命令を含む。上記記憶媒体は、USBフラッシュドライブ、取り外し可能ハードディスク、読取り専用メモリ（ROM、Read-Only Memory）、ランダムアクセスメモリ（RAM、Random Access Memory）、磁気ディスク、光ディスクといった、プログラムコードを記憶することができる任意の媒体を含む。
【０２０６】
上記の説明は、単に本発明の具体的な実施にすぎず、本発明の保護範囲を限定することを意図するものではない。本発明において開示された技術的範囲内にあり、当業者によって容易に想到される、あらゆる変形や置き換えは、本発明の保護範囲内に含まれるものとする。従って、本発明の保護範囲は、特許請求の範囲の保護範囲に属する。
【符号の説明】
【０２０７】
400  基地局
401  第1の決定モジュール
402  送信モジュール
403  受信モジュール
404  第2の決定モジュール
500  基地局
501  プロセッサ
502  送信機
503  受信機
600  端末
601  受信モジュール
602  第1の決定モジュール
603  第2の決定モジュール
604  メモリ
605  復調モジュール
606  フィードバックモジュール
607  取得モジュール
700  端末
701  受信機
702  プロセッサ
703  送信機
704  メモリ
【図１】
2019502319.tif 000052
【図２】
2019502319.tif 000053
【図３】
2019502319.tif 000054
【図４】
2019502319.tif 000055
【図５】
2019502319.tif 000056
【図６】
2019502319.tif 000057
【図７】
2019502319.tif 000058
【手続補正書】
【提出日】平成30年8月9日(2018.8.9)
【手続補正１】
【補正対象書類名】明細書
【補正対象項目名】００３５
【補正方法】変更
【補正の内容】
【００３５】
以下、本発明の実施形態における添付の図面を参照しながら、本発明の実施形態における技術的な解決策を説明する。当然のことながら、説明される実施形態は、本発明の実施形態の一部であり、すべてではない。本発明の実施形態に基づいて、当業者によって創造的努力なしに得られるすべての他の実施形態は、本発明の保護範囲内に含まれるものとする。
【手続補正２】
【補正対象書類名】明細書
【補正対象項目名】００４４
【補正方法】変更
【補正の内容】
【００４４】
さらに、基地局は、異なる要求または要因に従って、現在スケジュールされている各端末の送信モードを決定することができる。本発明の本実施形態では、各端末の送信モードを決定する具体的な方式は限定されない。例えば、基地局は、各スケジューリング期間において、端末の信号対干渉および雑音比ならびにスケジューリング優先度に従って、スケジュールされた端末の送信モードを決定することができる。具体的には、ペア送信モードは、スケジューリングの優先度が同じまたは近いが、2つの端末の信号対干渉および雑音比間の差の絶対値が予め設定された値以上である、2つの端末に対して使用され、非ペア送信モードは、スケジューリングの優先度が同じまたは近く、2つの端末の信号対干渉および雑音比間の差の絶対値が予め設定された値未満である、2つの端末に対して使用される。スケジューリングの優先度が近いことは、2つの端末のスケジューリングの優先度間の差が比較的小さいことを意味し得ることに留意されたい。例えば、スケジューリングの優先度指標間の差の絶対値は1である。このことは、本発明の本実施形態において限定されるものではない。基地局は、端末の信号対干渉および雑音比のみに従って、端末によって使用される具体的な送信モードを代替的に決定してもよいことが理解されよう。例えば、予め設定された高閾値よりも高い信号対干渉および雑音比を有する任意の端末は、予め設定された低閾値よりも低い信号対干渉および雑音比を有する任意の端末と対になる。このように、一対の端末は、ペア送信モードを使用することを決定する端末と呼ばれ、他の対ではない端末は、非ペア送信モードを使用する。加えて、基地局が端末のスケジューリングの優先度と信号対干渉および雑音比を決定する方式については、従来技術を参照されたく、このことは、本発明の本実施形態で限定されない。ペア送信モードを使用する一対の端末は、互いに対になった端末であることが理解されよう。
【手続補正３】
【補正対象書類名】明細書
【補正対象項目名】００６０
【補正方法】変更
【補正の内容】
【００６０】
第1のフィールドが別のビット量を含む場合、第1のフィールドの指示された意味は表X1のものと同様である。例えば、第1のフィールドが6ビットである場合、第1のフィールドに対応する状態の指示された意味が表X2に示されている。第1のフィールドが5ビットである場合、64の状態を示すことができる。さらに、64の状態のうちの25の状態は、3つの情報を共同して示すために使用され、他の39の状態が予約され、第1のフィールドに対応する状態の指示された意味が表X3に示されている。第1のフィールドが4ビットである場合、第1のフィールドに対応する状態の指示された意味が表X4に示されている。第1のフィールドが3ビットである場合、8の状態を示すことができる。5つの状態は、端末タイプおよびペア端末の復調パイロットDMRSポートに対応する変調方式を示し、他の3つの状態は予約され、第1のフィールドに対応する状態の指示された意味が表X5に示されている。表X1から表X5において、指示された意味が、端末のペア端末のDMRSポートの指示情報および／または端末のペア端末の変調方式の指示情報を示す場合、指示された意味が、送信モードに対応する端末タイプに関する情報がペア送信モードにある端末であることを暗示的に示すことが理解されよう。
【手続補正４】
【補正対象書類名】明細書
【補正対象項目名】００８５
【補正方法】変更
【補正の内容】
【００８５】
加えて、UE1およびUE2がマルチアンテナ送信モードを使用し、等しい数の送信空間レイヤを有する場合、β＝P1：P2である。P1は、非直交多元接続システムにおけるUE1のダウンリンクデータ送信電力であり、P2は、非直交多元接続システムにおけるUE2のダウンリンクデータ送信電力である。あるいは、UE1およびUE2がマルチアンテナ送信モードを使用し、等しくない数の送信空間レイヤを有する場合、マルチアンテナ送信のために、データは複数のレイヤを有することができる。この場合、ダウンリンクデータ送信電力比は、レイヤに応じて考慮され、任意のレイヤにおけるUE1のデータのダウンリンクデータ送信電力と、任意のレイヤにおけるUE2のペアデータのダウンリンクデータ送信電力との比は、βを示すために使用されてもよい。例えば、UE1がマルチアンテナ送信モードを使用し、2つの送信空間レイヤを有し、UE2によって使用される送信モードが1つの送信空間レイヤを有する場合、UE2は、UEの第1レイヤデータ1と対になってもよいし、UE1の第2レイヤのデータと対になっていてもよい。この場合、β＝P1，1：P2またはβ＝P1，2：P2となる。P1，1はUE1の第1レイヤデータのダウンリンクデータ送信電力であり、P1，2はUE1の第2レイヤデータのダウンリンクデータ送信電力である。
【手続補正５】
【補正対象書類名】明細書
【補正対象項目名】００９２
【補正方法】変更
【補正の内容】
【００９２】
基地局が固定電力割り当てモードを使用する場合、βは固定値を有することができる。これに基づいて、特定のβは、基地局によってUE1およびUE2に送信されるダウンリンクデータ信号の変調方式を参照してさらに決定されてもよい。例えば、基地局によってUE1およびUE2に送信される信号の変調方式が両方ともQPSKである場合には、βは、0.2：0.8であってもよい。基地局によってUE1に送信されるダウンリンク信号の変調方式が16QAMであり、基地局によってUE2に送信されるダウンリンク信号の変調方式がQPSKである場合、βは、10：32であってもよい。基地局によってUE1に送信される信号の変調方式が64QAMであり、UE2の変調方式がQPSKである場合、βは、42：128であってもよい。あるいは、基地局によってUE1およびUE2に送信される信号の変調方式が両方とも16QAMである場合には、βは、1：16であってもよい。基地局によってUE1に送信される信号の変調方式がQPSKであり、基地局によってUE2に送信されるダウンリンク信号の変調方式が16QAMである場合、βは、1：20であってもよい。
【手続補正６】
【補正対象書類名】明細書
【補正対象項目名】０１００
【補正方法】変更
【補正の内容】
【０１００】
ダウンリンクデータ送信電力比／係数情報の指示情報の特定の値と、ダウンリンクデータ送信電力比／係数情報と、の間には対応関係がある。端末は、指示情報に従って、β、β1、またはβ2が選択される特定の集合を決定してもよい、または端末は、指示情報に従って、β、β1、またはβ2の特定の値を直接決定してもよい。
【手続補正７】
【補正対象書類名】明細書
【補正対象項目名】０１０５
【補正方法】変更
【補正の内容】
【０１０５】
表3において、ビット値「00」が非ペア送信モードを示すためにさらに使用されること、すなわち、βに関する情報を運ぶことに加えて、フィールドは、送信モードに対応する端末タイプを黙示的に示すことができることが理解されよう。つまり、ビット値に対応するβが1である場合、フィールドは、非ペア送信モードを示す、またはビット値に対応するβが1以外の値である場合、フィールドは、ペア送信モードを示す。本発明の本実施形態では、ビットとβとの対応関係は、表3に示す対応関係に限定されるものではなく、対応関係を柔軟に指定することができることに留意されたい。例えば、「11」は、βが1であることを示してもよい。
【手続補正８】
【補正対象書類名】明細書
【補正対象項目名】０１４８
【補正方法】変更
【補正の内容】
【０１４８】
端末が、ダウンリンクデータ送信電力係数に従って、端末によって占有されるダウンリンクデータ送信電力シェアを決定すると仮定すると、係数は端末によって占有されるダウンリンクデータ送信電力シェアである。
【手続補正９】
【補正対象書類名】明細書
【補正対象項目名】０１５０
【補正方法】変更
【補正の内容】
【０１５０】
端末によって占有されるダウンリンクデータ送信電力シェアが、ダウンリンクデータ送信電力比集合に従って決定されているかダウンリンクデータ送信電力係数集合に従って決定されているかに関係なく、端末は、ダウンリンクデータ送信電力シェアを決定するために、ブラインド検出方法を使用して、上述の集合から特定のダウンリンクデータ送信電力比／係数を決定してもよい。例えば、端末は、最尤基準に従ってダウンリンクデータ送信電力シェアを決定するために、上述の集合を1つずつ試行してもよい。相違点は、ダウンリンクデータ送信電力比集合を使用する場合、端末は、遠端端末または近端端末によって占有される特定のダウンリンクデータ送信電力シェアを取得するために、変換または決定をさらに行う必要があることにある。
【手続補正１０】
【補正対象書類名】明細書
【補正対象項目名】０１６８
【補正方法】変更
【補正の内容】
【０１６８】
第1の決定モジュール401および第2の決定モジュール404は、プロセッサを用いて実現されてもよいことが理解されよう。プロセッサは、中央演算装置（Central Processing Unit、略称CPU）もしくは別の汎用プロセッサ、デジタルシグナルプロセッサ（Digital Signal Processor、略称DSP）、特定用途向け集積回路（Application-Specific Integrated Circuit、略称ASIC）、フィールドプログラマブルゲートアレイ（Field Programmable Gate Array、略称FPGA）、または別のプログラマブルロジックデバイス、別個のゲートもしくはトランジスタロジックデバイス、別個のハードウェアコンポーネントなどであってもよい。汎用プロセッサは、マイクロプロセッサであってもよいし、プロセッサは、任意の従来のプロセッサなどであってもよい。送信モジュール402は、送信機を使用して実装されてもよく、受信モジュール403は、受信機を使用して実装されてもよい。機能モジュールは、それぞれの対応するハードウェアユニットによって別々に実装される。本発明の本実施形態における基地局の機能モジュールの機能は、方法の実施形態の方法に従って具体的に実施されてもよいことが理解されよう。機能の具体的な実施プロセスについては、方法の実施形態における関連説明を参照されたい。ここでは細部を繰り返し説明しない。ここで、受信機および送信機は、例えば無線周波数回路を用いて、関連する動作を実施し、無線周波数回路は情報または信号を送受信するように構成されてもよいことを理解されたい。
【手続補正１１】
【補正対象書類名】特許請求の範囲
【補正対象項目名】全文
【補正方法】変更
【補正の内容】
【特許請求の範囲】
【請求項１】
マルチユーザ重畳送信（MUST）システムに適用される無線通信方法であって、
基地局により、現在のスケジューリング期間において端末にデータを送信するために使用される送信モードを決定するステップであって、前記送信モードが、ペア送信モードまたは非ペア送信モードのうちの1つである、ステップと、
前記基地局により、前記送信モードに対応する端末タイプを示す情報を前記端末に送信するステップと、
を含む方法。
【請求項２】
前記送信モードに対応する前記端末タイプを示す前記情報は、ダウンリンク制御情報を使用して前記端末に送信される、請求項1に記載の方法。
【請求項３】
前記基地局により、ダウンリンクデータ送信電力を決定するために使用される電力パラメータを前記端末に通知するステップであって、前記電力パラメータがPAMUSTおよびPAを含み、PAMUSTが前記MUSTシステムの電力パラメータである、ステップ
をさらに含む、請求項1または2に記載の方法。
【請求項４】
前記電力パラメータは、無線リソース制御（RRC）シグナリングを使用して前記端末に送信される、請求項3に記載の方法。
【請求項５】
前記基地局により、ダウンリンクデータ送信電力比情報またはダウンリンクデータ送信電力比情報の指示情報を前記端末に送信するステップであって、前記ダウンリンクデータ送信電力比情報は、前記ペア送信モードにある前記端末のダウンリンクデータ送信電力比である、ステップ
をさらに含む、請求項1から4のいずれか一項に記載の方法。
【請求項６】
前記基地局が前記ペア送信モードにある前記端末の前記ダウンリンクデータ送信電力比を前記端末に送信する場合、
前記ペア送信モードにある前記端末の前記ダウンリンクデータ送信電力比が固定値である、または、前記ペア送信モードにある前記端末の前記ダウンリンクデータ送信電力比が、ダウンリンクデータ送信電力比集合から前記基地局によって決定される、請求項5に記載の方法。
【請求項７】
前記基地局により、前記基地局によって前記端末に送信された信号の変調方式に従って、前記ダウンリンクデータ送信電力比情報を決定するステップ
をさらに含む、請求項5または6に記載の方法。
【請求項８】
前記ダウンリンクデータ送信電力比情報または前記ダウンリンクデータ送信電力比情報の前記指示情報は、上位層シグナリングまたはダウンリンク制御情報を用いて前記端末に送信される、請求項5から7のいずれか1項に記載の方法。
【請求項９】
マルチユーザ重畳送信（MUST）システムに適用される無線通信方法であって、
送信モードに対応する端末タイプを示す情報を基地局から受信するステップであって、前記送信モードが、現在のスケジューリング期間において端末にデータを送信するために使用される送信モードであり、ペア送信モードまたは非ペア送信モードのうちの1つである、ステップと、
前記情報に従って、前記端末が使用する送信モードを決定するステップと、
を含む方法。
【請求項１０】
ダウンリンクデータ送信電力を決定するために使用される電力パラメータを前記基地局から受信するステップであって、前記電力パラメータがPAMUSTおよびPAを含み、PAMUSTが前記MUSTシステムの電力パラメータである、ステップと、
前記端末が前記ペア送信モードにある場合、前記PAMUSTに従って、ダウンリンクデータ送信電力を決定するステップと、
をさらに含む、請求項9に記載の方法。
【請求項１１】
ダウンリンクデータ送信電力比情報を取得するステップであって、前記ダウンリンクデータ送信電力比情報は、前記ペア送信モードにある前記端末のダウンリンクデータ送信電力比である、ステップ
をさらに含む、請求項9または10に記載の方法。
【請求項１２】
ダウンリンクデータ送信電力比情報を取得する前記ステップは、
前記基地局から前記ダウンリンクデータ送信電力比情報または前記ダウンリンクデータ送信電力比情報の指示情報を受信するステップと、
受信した前記ダウンリンクデータ送信電力比情報または前記ダウンリンクデータ送信電力比情報の受信した前記指示情報に従って、前記ダウンリンクデータ送信電力比情報を取得するステップと、
を含む、請求項11に記載の方法。
【請求項１３】
基地局であって、前記基地局は、マルチユーザ重畳送信（MUST）システムをサポートし、
請求項1から8のいずれか一項に記載の方法を実行するように構成される基地局。
【請求項１４】
マルチユーザ重畳送信（MUST）システムをサポートする装置であって、
送信モードに対応する端末タイプを示す情報を基地局から受信するように構成された受信モジュールであって、前記送信モードが、現在のスケジューリング期間において端末にデータを送信するために使用される送信モードであり、ペア送信モードまたは非ペア送信モードのうちの1つである、受信モジュールと、
前記受信モジュールによって受信された前記情報に従って、前記端末によって使用される送信モードを決定するように構成される第1の決定モジュールと、
を備える装置。
【請求項１５】
請求項9から12のいずれか一項に記載の方法を実行するように構成される、請求項14に記載の装置。
【請求項１６】
命令を記録した非一時的なコンピュータ読み取り可能記録媒体であって、
前記命令は、実行されたとき、請求項1から8のいずれか一項または請求項9から12のいずれか一項に記載の方法を装置に実行させる、非一時的なコンピュータ読み取り可能記録媒体。
【国際調査報告】
2019502319.tif 000059
2019502319.tif 000060
2019502319.tif 000061
2019502319.tif 000062